(57)【要約】【課題】複数の信号インタフェースのＨＤＲ映像信号の取り扱いを良好に行い得るようにする。【解決手段】処理部は、リニアなハイダイナミックレンジ映像信号を処理して階調圧縮処理が施されたハイダイナミックレンジ映像信号を得る。処理部は、複数の信号インタフェースの階調圧縮処理を行うことが可能とされている。例えば、処理部は、基準信号インタフェース以外の他の信号インタフェースの階調圧縮処理を行うとき、基準信号インタフェースのシステムガンマの特性を付加する処理および他の信号インタフェースのシステムガンマの特性をキャンセルする処理をさらに行う。【選択図】図３
2018007246.tif 000002
【特許請求の範囲】
【請求項１】
入力映像信号を処理して階調圧縮処理が施された出力映像信号を得る処理部を備え、
上記処理部は、複数の信号インタフェースに対応する階調圧縮処理を行うことが可能とされている
信号処理装置。
【請求項２】
上記処理部は、上記複数の信号インタフェースに対応する階調圧縮処理がそれぞれ施された複数の上記出力映像信号を同時に出力する
請求項１に記載の信号処理装置。
【請求項３】
上記処理部は、上記複数の信号インタフェースに対応する階調圧縮処理がそれぞれ施された複数の上記出力映像信号のいずれかを選択的に出力する
請求項１に記載の信号処理装置。
【請求項４】
上記処理部は、
基準信号インタフェース以外の他の信号インタフェースの階調圧縮処理を行うとき、少なくとも、上記基準信号インタフェースのシステムガンマの特性を付加する処理をさらに行う
請求項１に記載の信号処理装置。
【請求項５】
上記処理部は、
上記入力映像信号を処理して基準信号インタフェースの階調圧縮処理が施された第１の出力映像信号を得る第１の処理部と、
上記第１の出力映像信号を、上記基準信号インタフェース以外の他の信号インタフェースの階調圧縮処理が施された映像信号に変換する第２の処理部を有し、
上記第２の処理部は、
上記第１の出力映像信号に、上記基準信号インタフェースの階調圧縮処理に対応した階調伸長処理と、上記基準信号インタフェースのシステムガンマの特性を付加する処理および上記他の信号インタフェースのシステムガンマの特性をキャンセルする処理と、上記他の信号インタフェースの階調圧縮処理の各処理を行う
請求項１に記載の信号処理装置。
【請求項６】
上記入力映像信号を得る撮像部をさらに備える
請求項１に記載の信号処理装置。
【請求項７】
処理部が、入力映像信号を処理して階調圧縮処理が施された出力映像信号を得る処理ステップを有し、
上記処理ステップでは、複数の信号インタフェースの階調圧縮処理を行うことが可能とされている
信号処理方法。
【請求項８】
基準信号インタフェースの階調圧縮処理が施された映像信号を入力する複数の入力機器を有する入力部と、
上記複数の入力機器から選択的に入力される入力映像信号に基づいた出力映像信号を出力する出力部を備え、
上記出力部は、
上記基準信号インタフェースの階調圧縮処理が施された映像信号の他に、少なくとも、上記基準信号インタフェース以外の他の信号インタフェースの階調圧縮処理が施された映像信号を上記出力映像信号として出力することが可能とされ、
上記出力部は、
上記他の信号インタフェースの階調圧縮処理が施された映像信号を出力するとき、上記入力映像信号に、少なくとも、上記基準信号インタフェースの階調圧縮処理に対応した階調伸長処理と、上記基準信号インタフェースのシステムガンマの特性を付加する処理と、上記他の信号インタフェースの階調圧縮処理の各処理を行って、上記他の信号インタフェースの階調圧縮処理が施された映像信号を得る
ビデオシステム。
【請求項９】
上記入力部は、カメラシステムを含み、
上記カメラシステムは、
映像信号を得る撮像部と、
上記撮像部で得られた映像信号を処理して上記基準信号インタフェースの階調圧縮処理が施された映像信号を得る処理部を有する
請求項８に記載のビデオシステム。
【請求項１０】
上記入力部は、上記基準信号インタフェース以外の他の信号インタフェースの階調圧縮処理が施された映像信号を、上記基準信号インタフェースの階調圧縮処理が施された映像信号に変換する信号変換部を含み、
上記信号変換部は、
上記他の信号インタフェースの階調圧縮処理が施された映像信号に、少なくとも、上記他の信号インタフェースの階調圧縮処理に対応した階調伸長処理と、上記基準信号インタフェースが持つシステムガンマの特性をキャンセルする特性を付加する処理と、上記基準信号インタフェースの階調圧縮処理の各処理を行って上記基準信号インタフェースの階調圧縮処理が施された映像信号を得る
請求項８に記載のビデオシステム。
【請求項１１】
上記入力映像信号は第１のダイナミックレンジの映像信号であり、
上記出力部は、
上記入力映像信号に基づいた上記第１のダイナミックレンジの出力映像信号を出力し、さらに上記第１のダイナミックレンジより小さな第２のダイナミックレンジの出力映像信号を出力することがさらに可能とされる
請求項８に記載のビデオシステム。
【請求項１２】
上記入力映像信号には、該入力映像信号の情報と共に、該入力映像信号に基づいて作成される上記第２のダイナミックレンジの出力映像信号の情報が付加されており、
上記出力部は、
上記第２のダイナミックレンジの出力映像信号を出力するとき、上記入力映像信号を、該入力映像信号に付加されている上記情報に基づいて処理して、上記第２のダイナミックレンジの出力映像信号を得る
請求項１１に記載のビデオシステム。
【請求項１３】
ストレージに記録されているファイルを再生して第１の信号インタフェースに対応する階調圧縮処理が施された再生映像信号を得る再生部と、
上記再生映像信号を処理して第２の信号インタフェースに対応する階調圧縮処理が施された出力映像信号を得る処理部を備える
サーバ。
【請求項１４】
上記処理部は、
上記再生映像信号の上記第１の信号インタフェースの情報と上記出力映像信号の上記第２の信号インタフェースの情報に基づいて処理設定をする
請求項１３に記載のサーバ。
【請求項１５】
上記処理部は、
上記再生映像信号が上記ストレージに記録されている複数のファイルの連続再生で得られたものであるとき、
上記再生映像信号の上記第１の信号インタフェースの情報の変化に応じて上記処理設定を変更する
請求項１４に記載のサーバ。
【請求項１６】
上記再生部および上記処理部の出力系を複数有し、
上記複数の出力系の上記処理部は、それぞれ独立した処理設定を行うことが可能とされている
請求項１３に記載のサーバ。
【請求項１７】
上記出力映像信号に、上記第２の信号インタフェースの情報を重畳する情報重畳部をさらに備える
請求項１３に記載のサーバ。
【発明の詳細な説明】
【技術分野】
【０００１】
本技術は、信号処理装置、信号処理方法、カメラシステム、ビデオシステムおよびサーバに関し、詳しくは、ハイダイナミックレンジ映像信号を取り扱う信号処理装置等に関する。
【背景技術】
【０００２】
従来、ハイダイナミックレンジ（ＨＤＲ：High Dynamic Range）の映像信号を出力するカメラが知られている（例えば、特許文献１参照）。このＨＤＲ映像信号の信号インタフェースとして種々の信号インタフェースが提案されている。例えば、信号インタフェースとして、ＨＬＧ（Hybrid Log-Gamma）、ＰＱ（Perceptual Quantizer）、Ｓ−Ｌｏｇ３などが知られている。
【０００３】
信号インタフェースが異なると、階調圧縮処理を行うためのＯＥＴＦ（Opto-Electrical Transfer Function）や階調伸長処理を行うためのＥＯＴＦ（Electro-Optical Transfer Function）が異なる他、モニタで表示する際の映像補正特性であるＯＯＴＦ（Opto-Optical Transfer Function）も異なってくる。
【０００４】
ＯＥＴＦとＥＯＴＦに関しては、基本的に出し側のＯＥＴＦと受け側のＥＯＴＦとでキャンセルされる。そのため、ＨＤＲ映像信号インタフェースが異なってＯＥＴＦやＥＯＴＦが異なっていても、実際にモニタに表示される映像に対する影響は少なくて済む。しかし、ＯＯＴＦはモニタで表示する際の映像補正特性であるため、信号インタフェースが異なってＯＯＴＦが異なると、同じ映像信号（カメラ映像）でも、モニタに表示される映像には、見え方の違いが発生する。
【先行技術文献】
【特許文献】
【０００５】
【特許文献１】特開２０１５−１１５７８９号公報
【発明の概要】
【発明が解決しようとする課題】
【０００６】
本技術の目的は、複数の信号インタフェースのＨＤＲ映像信号の取り扱いを良好に行い得るようにすることにある。
【課題を解決するための手段】
【０００７】
本技術の概念は、
リニアなハイダイナミックレンジ映像信号を処理して階調圧縮処理が施されたハイダイナミックレンジ映像信号を得る処理部を備え、
上記処理部は、複数の信号インタフェースの階調圧縮処理を行うことが可能とされている
信号処理装置にある。
【０００８】
本技術において、処理部により、リニアなＨＤＲ（ハイダイナミックレンジ）映像信号が処理されて階調圧縮処理が施されたハイダイナミックレンジ映像信号が得られる。例えば、撮像部により、リニアなＨＤＲ映像信号が得られる。処理部では、複数の信号インタフェースの階調圧縮処理を行うことが可能とされている。
【０００９】
このように本技術においては、処理部では複数の信号インタフェースの階調圧縮処理を行うことが可能とされる。そのため、複数の信号インタフェースの階調変換処理が施されたＨＤＲ映像信号を得ることができ、使い勝手を向上できる。
【００１０】
なお、本技術において、例えば、処理部は、基準信号インタフェース以外の他の信号インタフェースの階調圧縮処理を行うとき、少なくとも、基準信号インタフェースのシステムガンマの特性を付加する処理をさらに行う、ようにされてもよい。
【００１１】
この場合、他の信号インタフェースの階調圧縮処理が施されたＨＤＲ映像信号をそのインタフェース対応のモニタでモニタリングした場合、その映像は、基準信号インタフェースの階調圧縮処理が施されたＨＤＲ映像信号をそのインタフェース対応のモニタ（リファレンスモニタ）でモニタリングした場合の映像と同じくなる様な信号処理が施されている。そのため、基準信号インタフェース以外の他の信号インタフェースの階調圧縮処理が施されたＨＤＲ映像信号を出力する場合にあっても、リファレンスモニタの映像に基づいてカメラ調整（映像調整）をすることが可能となる。
【００１２】
また、本技術の他の概念は、
リニアなハイダイナミックレンジ映像信号を処理して基準信号インタフェースの階調圧縮処理が施されたハイダイナミックレンジ映像信号を得る処理部と、
上記基準信号インタフェースの階調圧縮処理が施されたハイダイナミックレンジ映像信号を、上記基準信号インタフェース以外の他の信号インタフェースの階調圧縮処理が施されたハイダイナミックレンジ映像信号に変換する信号変換部を備え、
上記信号変換部は、
上記基準信号インタフェースの階調圧縮処理が施されたハイダイナミックレンジ映像信号に、少なくとも、上記基準信号インタフェースの階調圧縮処理に対応した階調伸長処理と、上記基準信号インタフェースのシステムガンマの特性を付加する処理と、上記他の信号インタフェースの階調圧縮処理の各処理を行う
信号処理装置にある。
【００１３】
本技術において、処理部により、リニアなＨＤＲ（ハイダイナミックレンジ）映像信号が処理されて基準信号インタフェースの階調圧縮処理が施されたＨＤＲ映像信号が得られる。例えば、撮像部により、リニアなＨＤＲ映像信号が得られる。信号変換部により、基準信号インタフェースの階調圧縮処理が施されたＨＤＲ映像信号が、基準信号インタフェース以外の他の信号インタフェースの階調圧縮処理が施されたハイダイナミックレンジ映像信号に変換される。
【００１４】
信号変換部では、基準信号インタフェースの階調圧縮処理が施されたハイダイナミックレンジ映像信号を他の信号インタフェースの階調圧縮処理が施された状態に変換する処理が行われる。つまり、この信号変換部では、基準信号インタフェースの階調圧縮処理が施されたＨＤＲ映像信号に、基準信号インタフェースの階調圧縮処理に対応した階調伸長処理と、他の信号インタフェースの階調圧縮処理が行われる。さらに、この信号変換部では、基準信号インタフェースの階調圧縮処理が施されたＨＤＲ映像信号に、少なくとも、基準信号インタフェースのシステムガンマの特性を付加する処理が行われる。
【００１５】
このように本技術においては、信号変換部では、基準信号インタフェースの階調圧縮処理が施されたＨＤＲ映像信号に、少なくとも、基準信号インタフェースのシステムガンマの特性を付加する処理が行われる。
【００１６】
この場合、信号変換部で得られた他の信号インタフェースの階調圧縮処理が施されたＨＤＲ映像信号をそのインタフェース対応のモニタでモニタリングした場合、その映像は、基準信号インタフェースの階調圧縮処理が施されたＨＤＲ映像信号をそのインタフェース対応のモニタ（リファレンスモニタ）でモニタリングした場合の映像と同じくなる。そのため、基準信号インタフェース以外の他の信号インタフェースの階調圧縮処理が施されたＨＤＲ映像信号を信号変換部で得て用いる場合にあっても、リファレンスモニタの映像に基づいてカメラ調整（映像調整）をすることが可能となる。
【００１７】
また、本技術の他の概念は、
基準信号インタフェースの階調圧縮処理が施されたハイダイナミックレンジ映像信号を入力する複数の入力機器を有する入力部と、
上記複数の入力機器から選択的に所定のハイダイナミックレンジ映像信号を取り出す取り出し部と、
上記所定のハイダイナミックレンジ映像信号に基づいた映像信号を出力する出力部を備え、
上記出力部は、
上記基準ハイダイナミックレンジインタフェースの階調圧縮処理が施されたハイダイナミックレンジ映像信号の他に、少なくとも、上記基準ハイダイナミックレンジインタフェース以外の他のハイダイナミックレンジ映像信号インタフェースの階調圧縮処理が施されたハイダイナミックレンジ映像信号を出力することが可能とされ、
上記出力部は、
上記他の信号インタフェースの階調圧縮処理が施されたハイダイナミックレンジ映像信号を出力するとき、上記所定のハイダイナミックレンジ映像信号に、少なくとも、上記基準信号インタフェースの階調圧縮処理に対応した階調伸長処理と、上記基準信号インタフェースのシステムガンマの特性を付加する処理と、上記他の信号インタフェースの階調圧縮処理の各処理を行って、上記他の信号インタフェースの階調圧縮処理が施されたハイダイナミックレンジ映像信号を得る
ビデオシステムにある。
【００１８】
本技術のビデオシステムは、入力部と、取り出し部と、出力部を備えている。入力部は、基準信号インタフェースの階調圧縮処理が施されたＨＤＲ（ハイダイナミックレンジ）映像信号を入力する複数の入力機器を有するものである。取り出し部は、複数の入力機器から選択的に所定のＨＤＲ映像信号を取り出すものである。
【００１９】
出力部は、所定のＨＤＲ映像信号に基づいた映像信号を出力するものである。出力部では、基準信号インタフェースの階調圧縮処理が施されたＨＤＲ映像信号の他に、少なくとも、基準信号インタフェース以外の他の信号インタフェースの階調圧縮処理が施されたＨＤＲ映像信号を出力することが可能とされる。
【００２０】
また、出力部では、他の信号インタフェースの階調圧縮処理が施されたＨＤＲ映像信号を出力するとき、所定のＨＤＲ映像信号（基準信号インタフェースの階調圧縮処理が施されたＨＤＲ映像信号）を他の信号インタフェースの階調圧縮処理が施された状態に変換する処理が行われる。つまり、この出力部では、所定のＨＤＲ映像信号に、基準信号インタフェースの階調圧縮処理に対応した階調伸長処理と、他の信号インタフェースの階調圧縮処理が行われる。さらに、この出力部では、所定のＨＤＲ映像信号に、少なくとも、基準信号インタフェースのシステムガンマの特性を付加する処理が行われる。
【００２１】
このように本技術においては、入力部が有する複数の入力機器は基準信号インタフェースの階調圧縮処理が施されたＨＤＲ映像信号を入力するものであり、取り出し部で取り出される所定のＨＤＲ映像信号は常に基準信号インタフェースの階調圧縮処理が施されたＨＤＲ映像信号となる。そのため、基準信号インタフェース対応のモニタでのモニタリングで、複数の入力機器の映像調整を一律に行うことが可能となる。
【００２２】
また、本技術においては、出力部では、他の信号インタフェースの階調圧縮処理が施されたＨＤＲ映像信号を出力するとき、少なくとも、基準信号インタフェースのシステムガンマの特性を付加する処理が行われる。そのため、他の信号インタフェースの階調圧縮処理が施されたＨＤＲ映像信号をそのインタフェース対応のモニタでモニタリングした場合、その映像を、上述したように所定のＨＤＲ映像信号を基準信号インタフェース対応のモニタでモニタリングした場合の映像（調整された映像）と同じくできる。
【００２３】
なお、本技術において、例えば、入力部は、カメラシステムを含み、カメラシステムは、リニアなＨＤＲ映像信号を得る撮像部と、リニアなＨＤＲ映像信号を処理して基準信号インタフェースの階調圧縮処理が施されたＨＤＲ映像信号を得る処理部を有する、ようにされてもよい。
【００２４】
また、本技術において、例えば、入力部は、基準信号インタフェース以外の他の信号インタフェースの階調圧縮処理が施されたＨＤＲ映像信号を、基準信号インタフェースの階調圧縮処理が施されたＨＤＲ映像信号に変換する信号変換部を含み、信号変換部は、他の信号インタフェースの階調圧縮処理が施されたＨＤＲ映像信号に、少なくとも、他の信号インタフェースの階調圧縮処理に対応した階調伸長処理と、基準信号インタフェースが持つシステムガンマの特性をキャンセルする特性を付加する処理と、基準信号インタフェースの階調圧縮処理との各処理を行う、ようにされてもよい。
【００２５】
この場合、信号変換部で得られる基準信号インタフェースの階調圧縮処理が施されたＨＤＲ映像信号をそのインタフェース対応のモニタでモニタリングした場合、その映像を、他の信号インタフェースの階調圧縮処理が施されたＨＤＲ映像信号をそのインタフェース対応のモニタでモニタリングした場合の映像と同じくできる。
【００２６】
また、本技術において、例えば、出力部は、ＳＤＲ（通常ダイナミックレンジ）映像信号を出力することがさらに可能とされる、ようにされてもよい。この場合、例えば、所定のＨＤＲ映像信号には、この所定のＨＤＲ映像信号の情報と共に、この所定のＨＤＲ映像信号に基づいて作成されたＳＤＲ映像信号の情報が付加されており、出力部は、ＳＤＲ映像信号を出力するとき、所定のＨＤＲ映像信号を、この所定のＨＤＲ映像信号に付加されている情報に基づいて処理を行って、ＳＤＲ映像信号を得る、ようにされてもよい。
【発明の効果】
【００２７】
本技術によれば、複数の信号インタフェースのＨＤＲ映像信号の取り扱いを良好に行い得る。なお、本明細書に記載された効果はあくまで例示であって限定されるものではなく、また付加的な効果があってもよい。
【図面の簡単な説明】
【００２８】
【図１】第１の実施の形態としてのカメラシステムの構成例を示すブロック図である。
【図２】ＨＤＲカメラプロセス部の詳細な構成例を示す図である。
【図３】第２の実施の形態としてのカメラシステムの構成例を示すブロック図である。
【図４】第３の実施の形態としてのカメラシステムの構成例を示すブロック図である。
【図５】第４の実施の形態としてのビデオシステムの構成例を示すブロック図である。
【図６】ビデオシステムにおけるカメラ、ＣＣＵ、コントロール・パネルなどの構成例を示すブロック図である。
【図７】ＣＣＵを構成するＨＤＲカメラプロセス部およびＳＤＲカメラプロセス部の詳細な構成例を示すブロック図である。
【図８】ビデオシステムにおけるカメラ、ＣＣＵ、コントロール・パネルなどの他の構成例を示すブロック図である。
【図９】ＣＣＵを構成するインバース・ＨＤＲカメラプロセス部およびＳＤＲカメラプロセス部の詳細な構成例を示すブロック図である。
【図１０】ビデオシステムにおけるＨＤＲコンバータの詳細な構成例を示すブロック図である。
【図１１】ビデオシステムにおけるＨＤＲコンバータの詳細な他の構成例を示すブロック図である。
【図１２】ビデオシステムにおけるＳＤＲコンバータの構成例を示すブロック図である。
【図１３】ＳＤＲコンバータを構成するインバース・ＨＤＲカメラプロセス部およびＳＤＲカメラプロセス部の詳細な構成例を示すブロック図である。
【図１４】ＨＤＲコンバータの構成例を示すブロック図である。
【図１５】ＨＤＲコンバータに入力されるＨＤＲ-B映像信号やＨＤＲ-C映像信号としてモニタ側にＯＯＴＦ機能がない状況で作られた映像信号を考慮することができることを説明するための図である。
【図１６】ＨＤＲ-C映像信号の出力側の信号処理でシステムガンマ（OOTF）を付加する処理がされていない場合を説明するための図である。
【図１７】ＨＤＲコンバータの構成例を示すブロック図である。
【図１８】ＨＤＲコンバータの構成例を示すブロック図である。
【図１９】第５の実施の形態としてのＨＤＲ制作ライブシステムの構成例を示すブロック図である。
【図２０】サーバの構成例を示すブロック図である。
【図２１】ＯＥＴＦ変換部の構成例を示すブロック図である。
【図２２】ＯＥＴＦ変換部の実際の設定値の代表例を示す図である。
【図２３】ストレージから異なる素材情報（信号インタフェース情報）を持つファイルを連続的に再生する場合における、ＣＰＵによるＯＥＴＦ変換部の制御処理の一例を示すフローチャートである。
【発明を実施するための形態】
【００２９】
以下、発明を実施するための形態（以下、「実施の形態」とする）について説明する。なお、説明を以下の順序で行う。
１．第１の実施の形態
２．第２の実施の形態
３．第３の実施の形態
４．第４の実施の形態
５．第５の実施の形態
６．変形例
【００３０】
＜１．第１の実施の形態＞
［カメラシステムの構成例］
図１は、第１の実施の形態としてのカメラシステム１０Ａの構成例を示している。このカメラシステム１０Ａは、カメラ１１で得られたリニアなＨＤＲ（ハイダイナミックレンジ）映像信号が信号処理ユニットとしてのカメラ・コントロール・ユニット（ＣＣＵ：Camera Control Unit）１２に伝送される構成となっている。ここで、リニアとは階調圧縮処理が行われていないことを意味する。カメラ１１とＣＣＵ１２は、光ファイバなどで構成されるカメラケーブル１３を通じて接続されている。
【００３１】
カメラ１１は、ＣＰＵ１１１と、撮像部１１２と、プリプロセス（Pre-Process）部１１３と、伝送部１１４を有している。ＣＰＵ１１１は、カメラ１１の各部の動作を制御し、さらに、ＣＣＵ１２のＣＰＵ１２１との間でカメラケーブル１３を通じて通信をする。撮像部１１２は、例えば、ＵＨＤ（８Ｋ、４Ｋなど）あるいはＨＤの解像度のイメージセンサを持ち、撮像映像信号としてＨＤＲ映像信号を出力する。
【００３２】
ここで、４Ｋ解像度は横:約４０００×縦:約２０００ピクセルの解像度であり、例えば４０９６×２１６０や３８４０×２１６０であり、８Ｋ解像度は縦、横のピクセルがそれぞれ４Ｋ解像度の２倍となる解像度である。また、ＨＤ解像度は、例えば、縦、横のピクセルが４Ｋ解像度の１/２倍となる解像度である。
【００３３】
プリプロセス部１１３は、例えばＦＰＧＡ（field-programmable gate array）やＡＳＩＣ（Application Specific Integrated Circuit）等の回路で構成されるプロセッサであり、撮像部１１２から出力されるＨＤＲ映像信号に対して、レンズなどの光学系の補正処理や、イメージセンサのばらつきなどから生じる補正処理などを行う。伝送部１１４は、通信インタフェースを有する回路であり、プリプロセス部１１３で処理されたＨＤＲ映像信号をＣＣＵ１２に送信する。
【００３４】
ＣＣＵ１２は、ＣＰＵ１２１と、伝送部１２２と、ＨＤＲカメラプロセス（ＨＤＲ-CAM Process）部１２３と、ＯＥＴＦ-A・フォーマッタ部１２４と、ＯＥＴＦ-B・フォーマッタ部１２５と、ＯＯＴＦ-C部１２６と、インバース・ＥＯＴＦ-C・フォーマッタ部１２７を有している。ＣＰＵ１２１は、ＣＣＵ１２の各部の動作を制御し、さらに、カメラ１１のＣＰＵ１１１との間でカメラケーブル１３を通じて通信をすると共に、ＬＡＮ（Local Area Network）などの通信路１４を介して接続されたコントロール・パネル（Control Panel）１５のＣＰＵ１５１との間で通信をする。
【００３５】
コントロール・パネル１５は、ＣＰＵ１５１の他に、操作入力部１５２を有している。ＣＰＵ１５１は、ＶＥ（Video Engineer）などの制作者が操作入力部１５２から入力する各種の制御命令や設定情報を受け付け、通信路１４を介してＣＣＵ１２のＣＰＵ１２１に送る。
【００３６】
伝送部１２２は、通信インタフェースを有する回路であり、カメラ１１から送られてくるリニアなＨＤＲ映像信号を受信する。ＨＤＲカメラプロセス部１２３は、例えばＦＰＧＡやＡＳＩＣ等の回路で構成されるプロセッサであり、伝送部１２２で受信されたリニアなＨＤＲ映像信号に対して色域変換、ディテール（輪郭）補正などの処理を行う。
【００３７】
図２は、ＨＤＲカメラプロセス部１２３の詳細な構成例を示している。ＨＤＲカメラプロセス部１２３は、ＨＤＲゲイン調整部１３１と、リニアマトリクス（Linear-Matrix）部１３２と、ブラックレベル（Black-level）部１３３と、ディテール（Detail）部１３４を有している。
【００３８】
ＨＤＲゲイン調整部１３１は、伝送部１２２（図１参照）で受信されたリニアなＨＤＲ映像信号（Linear HDR Video）に対して、マスターゲインを制御する他、ホワイトバランス調整のためにＲ，Ｇ，Ｂの各原色信号のゲインを制御する。リニアマトリクス部１３２は、ＨＤＲゲイン調整部１３１から出力されるＨＤＲ映像信号に色域変換の処理をする。
【００３９】
ブラックレベル部１３３は、リニアマトリクス部１３２から出力されるＨＤＲ映像信号に黒レベル調整をする。ディテール部１３４は、ブラックレベル部１３３から出力されるＨＤＲ映像信号にディテール（輪郭）補正の処理をする。このディテール部１３４から出力されるＨＤＲ映像信号が、ＨＤＲカメラプロセス部１２３の出力となる。
【００４０】
図１に戻って、ＯＥＴＦ-A・フォーマッタ部１２４は、例えばＦＰＧＡやＡＳＩＣ等の回路で構成されるプロセッサであり、ＨＤＲカメラプロセス部１２３から出力されたリニアなＨＤＲ映像信号に対して信号インタフェースＡの階調圧縮処理を行う。ここでの階調圧縮処理は、信号インタフェースＡ用の光電気伝達関数（Opto-Electrical Transfer Function：OETF）を用いてリニア領域からビット長圧縮をする処理を意味する。例えば、信号インタフェースＡは、“Ｓ−Ｌｏｇ３”である。また、ＯＥＴＦ-A・フォーマッタ部１２４は、このように階調圧縮されたＨＤＲ映像信号を、ＲＧＢドメインからＹ色差ドメインに変換して、信号インタフェースＡの階調圧縮処理が施されたＨＤＲ映像信号「HDR OETF-A」を得る。
【００４１】
このようにＣＣＵ１２のＯＥＴＦ-A・フォーマッタ部１２４で得られたＨＤＲ映像信号「HDR OETF-A」は、信号インタフェースＡに対応したモニタ１６でモニタリングできる。このモニタ１６は、インバース・ＯＥＴＦ-A部と、ＯＯＴＦ-A部を有している。インバース・ＯＥＴＦ-A部は、ＨＤＲ映像信号「HDR OETF-A」に、信号インタフェースＡの階調圧縮処理に対応した階調伸長処理を行う。ここでの階調伸長処理は、信号インタフェースＡ用の光電気伝達関数（OETF）の逆特性を用いて行われる。また、ＯＯＴＦ-A部は、ＨＤＲ映像信号「HDR OETF-A」に、信号インタフェースＡのシステムガンマの特性を付加する。これにより、モニタ１６に表示される映像は、信号インタフェースＡのシステムガンマの特性で補正されたものとなる。
【００４２】
ＯＥＴＦ-B・フォーマッタ部１２５は、例えばＦＰＧＡやＡＳＩＣ等の回路で構成されるプロセッサであり、ＨＤＲカメラプロセス部１２３から出力されたリニアなＨＤＲ映像信号に対して信号インタフェースＢの階調圧縮処理を行う。ここでの階調圧縮処理は、信号インタフェースＢ用の光電気伝達関数（OETF）を用いてリニア領域からビット長圧縮をする処理を意味する。例えば、信号インタフェースＢは、“ＨＬＧ（Hybrid Log-Gamma）”である。また、ＯＥＴＦ-B・フォーマッタ部１２５は、このように階調圧縮されたＨＤＲ映像信号を、ＲＧＢドメインからＹ色差ドメインに変換して、信号インタフェースＢの階調圧縮処理が施されたＨＤＲ映像信号「HDR OETF-B」を得る。
【００４３】
このようにＣＣＵ１２のＯＥＴＦ-B・フォーマッタ部１２５で得られたＨＤＲ映像信号「HDR OETF-B」は、信号インタフェースＢに対応したモニタ１７でモニタリングできる。このモニタ１７は、インバース・ＯＥＴＦ-B部と、ＯＯＴＦ-B部を有している。インバース・ＯＥＴＦ-B部は、ＨＤＲ映像信号「HDR OETF-B」に、信号インタフェースＢの階調圧縮処理に対応した階調伸長処理を行う。ここでの階調伸長処理は、信号インタフェースＢ用の光電気伝達関数（OETF）の逆特性を用いて行われる。また、ＯＯＴＦ-B部は、ＨＤＲ映像信号「HDR OETF-B」に、信号インタフェースＢのシステムガンマの特性を付加する。これにより、モニタ１７に表示される映像は、信号インタフェースＢのシステムガンマの特性で補正されたものとなる。
【００４４】
ＯＯＴＦ-C部１２６は、例えばＦＰＧＡやＡＳＩＣ等の回路で構成されるプロセッサであり、ＨＤＲカメラプロセス部１２３から出力されたリニアなＨＤＲ映像信号に対して、信号インタフェースＣのシステムガンマ（OOTF：Opto-Optical Transfer Function）の特性を付加する。
【００４５】
インバース・ＥＯＴＦ-C・フォーマッタ部１２７は、例えばＦＰＧＡやＡＳＩＣ等の回路で構成されるプロセッサであり、ＯＯＴＦ-C部１２６から出力されたＨＤＲ映像信号に対して信号インタフェースＣの階調圧縮処理を行う。ここでの階調圧縮処理は、信号インタフェースＣ用の電気光伝達関数（Electro-Optical Transfer Function：EOTF）の逆特性を用いて、リニア領域からビット長圧縮をする処理を意味する。例えば、信号インタフェースＣは、“ＰＱ（Perceptual Quantizer）”である。また、インバース・ＥＯＴＦ-C・フォーマッタ部１２７は、このように階調圧縮されたＨＤＲ映像信号を、ＲＧＢドメインからＹ色差ドメインに変換して、信号インタフェースＣの階調圧縮処理が施されたＨＤＲ映像信号「HDR EOTF-C」を得る。
【００４６】
このようにＣＣＵ１２のＯＥＴＦ-C・フォーマッタ部１２７で得られたＨＤＲ映像信号「HDR EOTF-C」は、信号インタフェースＣに対応したモニタ１８でモニタリングできる。このモニタ１８は、ＥＯＴＦ-C部を有している。ＥＯＴＦ-C部は、ＨＤＲ映像信号「HDR EOTF-C」に、信号インタフェースＣの階調圧縮処理に対応した階調伸長処理を行う。ここでの階調伸長処理は、信号インタフェースＣ用の電気光伝達関数（EOTF）を用いて行われる。これにより、モニタ１８に表示される映像は、信号インタフェースＣのシステムガンマの特性で補正されたものとなる。
【００４７】
上述したように、図１に示すカメラシステム１０Ａでは、ＣＣＵ１２において、信号インタフェースＡ，Ｂ，Ｃの階調圧縮処理が施されたＨＤＲ映像信号が得られる。そのため、使い勝手を向上したカメラシステムを提供できる。
【００４８】
なお、図１に示すカメラシステム１０Ａでは、ＣＣＵ１２から信号インタフェースＡ，Ｂ，Ｃの階調圧縮処理が施されたＨＤＲ映像信号を同時に出力する構成となっているが、これらのＨＤＲ映像信号のいずれかを選択的に出力する構成とすることも可能である。その場合、例えば、ＨＤＲカメラプロセス部１２３の後段にプロセッサ（処理部）を配置し、その機能を、「ＯＥＴＦ-A・フォーマッタ部１２４」、あるいは「ＯＥＴＦ-B・フォーマッタ部１２５」、あるいは「ＯＯＴＦ-C部１２６およびインバース・ＥＯＴＦ-C・フォーマッタ部１２７」に選択的に切り換える構成として、回路規模の低減を図ることもできる。
【００４９】
＜２．第２の実施の形態＞
［カメラシステムの構成例］
図３は、第２の実施の形態としてのカメラシステム１０Ｂの構成例を示している。この図３において、図１と対応する部分には同一符号を付し、適宜、その詳細説明は省略する。このカメラシステム１０Ｂは、カメラ１１で得られたリニアなＨＤＲ映像信号が信号処理ユニットとしてのカメラ・コントロール・ユニット（ＣＣＵ）１２Ｂに伝送される構成となっている。
【００５０】
ＣＣＵ１２Ｂは、ＣＰＵ１２１と、伝送部１２２と、ＨＤＲカメラプロセス部１２３と、ＯＥＴＦ-A・フォーマッタ部１２４と、ＯＥＴＦ-B・フォーマッタ部１２５と、インバース・ＥＯＴＦ-Cフォーマッタ部１２７と、ＯＯＴＦ-A部１４１，１４３と、インバース・ＯＯＴＦ-B部１４２を有している。ＣＰＵ１２１は、ＣＣＵ１２Ｂの各部の動作を制御し、さらに、カメラ１１のＣＰＵ１１１との間でカメラケーブル１３を通じて通信をすると共に、ＬＡＮなどの通信路１４を介して接続されたコントロール・パネル１５のＣＰＵ１５１との間で通信をする。
【００５１】
伝送部１２２は、通信インタフェースを有する回路であり、カメラ１１から送られてくるリニアなＨＤＲ映像信号を受信する。ＨＤＲカメラプロセス部１２３は、伝送部１２２で受信されたリニアなＨＤＲ映像信号に対して色域変換、ディテール（輪郭）補正などの処理を行う。
【００５２】
ＯＥＴＦ-A・フォーマッタ部１２４は、ＨＤＲカメラプロセス部１２３から出力されたリニアなＨＤＲ映像信号に対して信号インタフェースＡの階調圧縮処理を行う。ここでの階調圧縮処理は、信号インタフェースＡ用の光電気伝達関数（OETF）を用いてリニア領域からビット長圧縮をする処理を意味する。また、ＯＥＴＦ-A・フォーマッタ部１２４は、このように階調圧縮されたＨＤＲ映像信号を、ＲＧＢドメインからＹ色差ドメインに変換して、信号インタフェースＡの階調圧縮処理が施されたＨＤＲ映像信号「HDR OETF-A」を得る。
【００５３】
このようにＣＣＵ１２ＢのＯＥＴＦ-A・フォーマッタ部１２４で得られたＨＤＲ映像信号「HDR OETF-A」は、信号インタフェースＡに対応したモニタ１６でモニタリングできる。このモニタ１６は、インバース・ＯＥＴＦ-A部と、ＯＯＴＦ-A部を有している。これにより、モニタ１６に表示される映像は、信号インタフェースＡのシステムガンマの特性で補正されたものとなる。
【００５４】
ＯＯＴＦ-A部１４１は、例えばＦＰＧＡやＡＳＩＣ等の回路で構成されるプロセッサであり、ＨＤＲカメラプロセス部１２３から出力されたリニアなＨＤＲ映像信号に対して、信号インタフェースＡのシステムガンマ（OOTF）の特性を付加する。インバース・ＯＯＴＦ-B部１４２は、例えばＦＰＧＡやＡＳＩＣ等の回路で構成されるプロセッサであり、ＯＯＴＦ-A部１４１から出力されたＨＤＲ映像信号に対して、信号インタフェースＢのシステムガンマ（OOTF）の特性をキャンセルする特性を付加する。
【００５５】
ＯＥＴＦ-B・フォーマッタ部１２５は、インバース・ＯＯＴＦ-B部１４２から出力されたＨＤＲ映像信号に対して信号インタフェースＢの階調圧縮処理を行う。ここでの階調圧縮処理は、信号インタフェースＢ用の光電気伝達関数（EOTF）を用いてリニア領域からビット長圧縮をする処理を意味する。また、ＯＥＴＦ-B・フォーマッタ部１２５は、このように階調圧縮されたＨＤＲ映像信号を、ＲＧＢドメインからＹ色差ドメインに変換して、信号インタフェースＢの階調圧縮処理が施されたＨＤＲ映像信号「HDR OETF-B」を得る。
【００５６】
このようにＣＣＵ１２ＢのＯＥＴＦ-B・フォーマッタ部１２５で得られたＨＤＲ映像信号「HDR OETF-B」は、信号インタフェースＢに対応したモニタ１７でモニタリングできる。このモニタ１７は、インバース・ＯＥＴＦ-B部と、ＯＯＴＦ-B部を有している。ＣＣＵ１２ＢのＨＤＲ映像信号「HDR OETF-B」の系に、上述したようにＯＯＴＦ-A部１４１およびインバース・ＯＯＴＦ-B部１４２が存在することから、モニタ１７に表示される映像は、上述のモニタ１６に表示される映像と同じく、信号インタフェースＡのシステムガンマの特性で補正されたものとなる。
【００５７】
ＯＯＴＦ-A部１４３は、例えばＦＰＧＡやＡＳＩＣ等の回路で構成されるプロセッサであり、ＨＤＲカメラプロセス部１２３から出力されたリニアなＨＤＲ映像信号に対して、信号インタフェースＡのシステムガンマ（OOTF）の特性を付加する。
【００５８】
インバース・ＥＯＴＦ-C・フォーマッタ部１２７は、ＯＯＴＦ-A部１４３から出力されたＨＤＲ映像信号に対して信号インタフェースＣの階調圧縮処理を行う。ここでの階調圧縮処理は、信号インタフェースＣ用の電気光伝達関数（EOTF）の逆特性を用いて、リニア領域からビット長圧縮をする処理を意味する。また、インバース・ＥＯＴＦ-C・フォーマッタ部１２７は、このように階調圧縮されたＨＤＲ映像信号を、ＲＧＢドメインからＹ色差ドメインに変換して、信号インタフェースＣの階調圧縮処理が施されたＨＤＲ映像信号「HDR EOTF-C」を得る。信号インタフェース的には、ＯＯＴＦ-Cが付加されるべきだが、ＯＯＴＦ-Aには、ＯＯＴＦ-Cが含まれており、映像補正として、［ ＯＯＴＦ-A − ＯＯＴＦ-C ］が施された信号処理をしたものとみなすことで、ＥＯＴＦ-Cの信号インタフェースに沿っているといえる。
【００５９】
このようにＣＣＵ１２Ｂのインバース・ＯＥＴＦ-C・フォーマッタ部１２７で得られたＨＤＲ映像信号「HDR EOTF-C」は、信号インタフェースＣに対応したモニタ１８でモニタリングできる。このモニタ１８は、ＥＯＴＦ-C部を有している。ＣＣＵ１２ＢのＨＤＲ映像信号「HDR OETF-C」の系に、上述したようにＯＯＴＦ-A部１４１が存在すると共に、ＯＯＴＦ-C部１２６（図１参照）が存在しないことから、モニタ１８に表示される映像は、上述のモニタ１６に表示される映像と同じく、信号インタフェースＡのシステムガンマの特性で補正されたものとなる。
【００６０】
上述したように、図３に示すカメラシステム１０Ｂでは、ＣＣＵ１２Ｂにおいて、信号インタフェースＡを基準信号インタフェースとして、基準信号インタフェース以外の他の信号インタフェースの階調圧縮処理を行うとき、基準信号インタフェースのシステムガンマの特性を付加する処理と、当該他の信号インタフェースのシステムガンマの特性をキャンセルする処理が行われる。
【００６１】
この場合、他の信号インタフェースの階調圧縮処理が施されたＨＤＲ映像信号をそのインタフェース対応のモニタでモニタリングした場合、その映像は、基準信号インタフェースの階調圧縮処理が施されたＨＤＲ映像信号をそのインタフェース対応のモニタ（リファレンスモニタ）でモニタリングした場合の映像と同じくなる。そのため、基準信号インタフェース以外の他の信号インタフェースの階調圧縮処理が施されたＨＤＲ映像信号を出力する場合にあっても、リファレンスモニタの映像に基づいてカメラ調整（映像調整）をすることが可能となる。
【００６２】
なお、図３に示すカメラシステム１０Ｂでは、ＣＣＵ１２Ｂから信号インタフェースＡ，Ｂ，Ｃの階調圧縮処理が施されたＨＤＲ映像信号を同時に出力する構成となっているが、これらのＨＤＲ映像信号のいずれかを選択的に出力する構成とすることも可能である。その場合、例えば、ＨＤＲカメラプロセス部１２３の後段にプロセッサ（処理部）を配置し、その機能を、「ＯＥＴＦ-A・フォーマッタ部１２４」、あるいは「ＯＯＴＦ-A部１４１、インバース・ＯＯＴＦ-B部１４２およびＯＥＴＦ-B・フォーマッタ部１２５」、あるいは「ＯＯＴＦ-A部１４３およびインバース・ＥＯＴＦ-C・フォーマッタ部１２７」に選択的に切り換える構成として、回路規模の低減を図ることもできる。
【００６３】
＜３．第３の実施の形態＞
［カメラシステムの構成例］
図４は、第３の実施の形態としてのカメラシステム１０Ｃの構成例を示している。この図４において、図１、図３と対応する部分には同一符号を付し、適宜、その詳細説明は省略する。このカメラシステム１０Ｃは、カメラ１１で得られたリニアなＨＤＲ映像信号が信号処理ユニットとしてのカメラ・コントロール・ユニット（ＣＣＵ）１２Ｃに伝送される構成となっている。
【００６４】
また、このカメラシステム１０Ｃは、ＣＣＵ１２Ｃから出力された信号インタフェースＡの階調圧縮処理が施されたＨＤＲ映像信号に対してＨＤＲコンバータ（ＨＤＲ-Converter）１９，２０で信号変換処理を行って、それぞれ、信号インタフェースＢ，Ｃの階調圧縮処理が施されたＨＤＲ映像信号を得る構成となっている。
【００６５】
ＣＣＵ１２Ｃは、ＣＰＵ１２１と、伝送部１２２と、ＨＤＲカメラプロセス部１２３と、ＯＥＴＦ-A・フォーマッタ部１２４を有している。ＣＰＵ１２１は、ＣＣＵ１２Ｃの各部の動作を制御し、さらに、カメラ１１のＣＰＵ１１１との間でカメラケーブル１３を通じて通信をすると共に、ＬＡＮなどの通信路１４を介して接続されたコントロール・パネル１５のＣＰＵ１５１との間で通信をする。
【００６６】
伝送部１２２は、通信インタフェースを有する回路であり、カメラ１１から送られてくるリニアなＨＤＲ映像信号を受信する。ＨＤＲカメラプロセス部１２３は、伝送部１２２で受信されたリニアなＨＤＲ映像信号に対して色域変換、ディテール（輪郭）補正などの処理を行う。
【００６７】
ＯＥＴＦ-A・フォーマッタ部１２４は、ＨＤＲカメラプロセス部１２３から出力されたリニアなＨＤＲ映像信号に対して信号インタフェースＡの階調圧縮処理を行う。ここでの階調圧縮処理は、信号インタフェースＡ用の光電気伝達関数（OETF）を用いてリニア領域からビット長圧縮をする処理を意味する。また、ＯＥＴＦ-A・フォーマッタ部１２４は、このように階調圧縮されたＨＤＲ映像信号を、ＲＧＢドメインからＹ色差ドメインに変換して、信号インタフェースＡの階調圧縮処理が施されたＨＤＲ映像信号「HDR OETF-A」を得る。
【００６８】
このようにＣＣＵ１２ＣのＯＥＴＦ-A・フォーマッタ部１２４で得られたＨＤＲ映像信号「HDR OETF-A」は、信号インタフェースＡに対応したモニタ１６でモニタリングできる。このモニタ１６は、インバース・ＯＥＴＦ-A部と、ＯＯＴＦ-A部を有している。これにより、モニタ１６に表示される映像は、信号インタフェースＡのシステムガンマの特性で補正されたものとなる。
【００６９】
ＨＤＲコンバータ１９は、例えばＦＰＧＡやＡＳＩＣ等の回路で構成されるプロセッサであり、デフォーマッタ部１４４と、インバース・ＯＥＴＦ-A部１４５と、ＯＯＴＦ-A部１４１と、インバース・ＯＯＴＦ-B部１４２と、ＯＥＴＦ-B・フォーマッタ部１２５を有している。
【００７０】
デフォーマッタ部１４４は、ＣＣＵ１２Ｃから出力された信号インタフェースＡの階調圧縮処理が施されたＨＤＲ映像信号「HDR OETF-A」に対してＹ色差ドメインからＲＧＢドメインへの変換処理をする。インバース・ＯＥＴＦ-A部１４５は、デフォーマッタ部１４４から出力されたＨＤＲ映像信号に、信号インタフェースＡの階調圧縮処理に対応した階調伸長処理を行う。ここでの階調伸長処理は、信号インタフェースＡ用の光電気伝達関数（OETF）の逆特性を用いて行われる。
【００７１】
ＯＯＴＦ-A部１４１は、インバース・ＯＥＴＦ-A部１４５から出力されたリニアなＨＤＲ映像信号に対して、信号インタフェースＡのシステムガンマ（OOTF）の特性を付加する。インバース・ＯＯＴＦ-B部１４２は、ＯＯＴＦ-A部１４１から出力されたＨＤＲ映像信号に対して、信号インタフェースＢのシステムガンマ（OOTF）の特性をキャンセルする特性を付加する。
【００７２】
ＯＥＴＦ-B・フォーマッタ部１２５は、インバース・ＯＯＴＦ-B部１４２から出力されたＨＤＲ映像信号に対して信号インタフェースＢの階調圧縮処理を行う。ここでの階調圧縮処理は、信号インタフェースＢ用の光電気伝達関数（OETF）を用いてリニア領域からビット長圧縮をする処理を意味する。また、ＯＥＴＦ-B・フォーマッタ部１２５は、このように階調圧縮されたＨＤＲ映像信号を、ＲＧＢドメインからＹ色差ドメインに変換して、信号インタフェースＢの階調圧縮処理が施されたＨＤＲ映像信号「HDR OETF-B」を得る。
【００７３】
このようにＨＤＲコンバータ１９で得られたＨＤＲ映像信号「HDR OETF-B」は、信号インタフェースＢに対応したモニタ１７でモニタリングできる。このモニタ１７は、インバース・ＯＥＴＦ-B部と、ＯＯＴＦ-B部を有している。ＨＤＲコンバータ１９の系に、上述したようにＯＯＴＦ-A部１４１およびインバース・ＯＯＴＦ-B部１４２が存在することから、モニタ１７に表示される映像は、上述のモニタ１６に表示される映像と同じく、信号インタフェースＡのシステムガンマの特性で補正されたものとなる。
【００７４】
ＨＤＲコンバータ２０は、例えばＦＰＧＡやＡＳＩＣ等の回路で構成されるプロセッサであり、デフォーマッタ部１４６と、インバース・ＯＥＴＦ-A部１４７と、ＯＯＴＦ-A部１４３と、インバース・ＥＯＴＦ-C・フォーマッタ部１２７を有している。デフォーマッタ部１４６は、ＣＣＵ１２Ｃから出力された信号インタフェースＡの階調圧縮処理が施されたＨＤＲ映像信号「HDR OETF-A」に対してＹ色差ドメインからＲＧＢドメインへの変換処理をする。
【００７５】
インバース・ＯＥＴＦ-A部１４７は、デフォーマッタ部１４６から出力されたＨＤＲ映像信号に、信号インタフェースＡの階調圧縮処理に対応した階調伸長処理を行う。ここでの階調伸長処理は、信号インタフェースＡ用の光電気伝達関数（OETF）の逆特性を用いて行われる。ＯＯＴＦ-A部１４３は、インバース・ＯＥＴＦ-A部１４７から出力されたリニアなＨＤＲ映像信号に対して、信号インタフェースＡのシステムガンマ（OOTF）の特性を付加する。
【００７６】
インバース・ＥＯＴＦ-C・フォーマッタ部１２７は、ＯＯＴＦ-A部１４３から出力されたＨＤＲ映像信号に対して信号インタフェースＣの階調圧縮処理を行う。ここでの階調圧縮処理は、信号インタフェースＣ用の電気光伝達関数（EOTF）の逆特性を用いて、リニア領域からビット長圧縮をする処理を意味する。また、インバース・ＥＯＴＦ-C・フォーマッタ部１２７は、このように階調圧縮されたＨＤＲ映像信号を、ＲＧＢドメインからＹ色差ドメインに変換して、信号インタフェースＣの階調圧縮処理が施されたＨＤＲ映像信号「HDR EOTF-C」を得る。
【００７７】
このようにＨＤＲコンバータ２０で得られたＨＤＲ-C映像信号「HDR EOTF-C」は、信号インタフェースＣに対応したモニタ１８でモニタリングできる。このモニタ１８は、ＥＯＴＦ-C部を有している。ＨＤＲコンバータ２０の系に、上述したようにＯＯＴＦ-A部１４１が存在すると共に、ＯＯＴＦ-C部１２６（図１参照）が存在しないことから、モニタ１８に表示される映像は、上述のモニタ１６に表示される映像と同じく、信号インタフェースＡのシステムガンマの特性で補正されたものとなる。
【００７８】
上述したように、図４に示すカメラシステム１０Ｃでは、信号インタフェースＡを基準信号インタフェースとして、ＨＤＲコンバータ１９，２０で基準信号インタフェース以外の他の信号インタフェースの階調圧縮処理を行うとき、基準信号インタフェースのシステムガンマの特性を付加する処理と、当該他の信号インタフェースのシステムガンマの特性をキャンセルする処理が行われる。
【００７９】
この場合、他の信号インタフェースの階調圧縮処理が施されたＨＤＲ映像信号をそのインタフェース対応のモニタでモニタリングした場合、その映像は、基準信号インタフェースの階調圧縮処理が施されたＨＤＲ映像信号をそのインタフェース対応のモニタ（リファレンスモニタ）でモニタリングした場合の映像と同じくなる。そのため、基準信号インタフェース以外の他の信号インタフェースの階調圧縮処理が施されたＨＤＲ映像信号を出力する場合にあっても、リファレンスモニタの映像に基づいてカメラ調整（映像調整）をすることが可能となる。
【００８０】
＜４．第４の実施の形態＞
［ビデオシステムの構成例］
図５は、第４の実施の形態としてのビデオシステム３０の構成例を示している。このビデオシステム３０は、カメラ３１とカメラ・コントロール・ユニット（ＣＣＵ：Camera Control Unit）３２からなるカメラシステムを所定数、図示の例では２つ有している。カメラ３１とＣＣＵ３２は、カメラケーブル３３を介して接続されている。
【００８１】
ＣＣＵ３２には、ＬＡＮなどの通信路３４を介してコントロール・パネル（Control Panel）３５が接続されている。ＣＣＵ３２からは、信号インタフェースＡの階調圧縮処理が施されたハイダイナミックレンジ（ＨＤＲ：High Dynamic Range）映像信号（ＨＤＲ-A映像信号）と、通常ダイナミックレンジ（ＳＤＲ：(Standard Dynamic Range）映像信号が出力される。この実施の形態において、信号インタフェースＡは、基準信号インタフェース（統一信号インタフェース）とされる。例えば、信号インタフェースＡは、“Ｓ−Ｌｏｇ３”である。
【００８２】
また、ビデオシステム３０は、信号インタフェースＡ以外の信号インタフェースの階調圧縮処理が施されたＨＤＲ信号を、信号インタフェースＡの階調圧縮処理が施されたＨＤＲ信号（ＨＤＲ-A映像信号）に変換するＨＤＲコンバータ（ＨＤＲ-Converter）３６を所定数、図示の例では１つ有している。このＨＤＲコンバータ３６は、例えばＦＰＧＡやＡＳＩＣ等の回路で構成されるプロセッサである。このＨＤＲコンバータ３６は、例えば、信号インタフェースＢの階調圧縮処理が施されたＨＤＲ映像信号（ＨＤＲ-B映像信号）、あるいは信号インタフェースＣの階調圧縮処理が施されたＨＤＲ映像信号（ＨＤＲ-C映像信号）を、ＨＤＲ-A映像信号に変換する。例えば、信号インタフェースＢは“ＨＬＧ（Hybrid Log-Gamma）”であり、信号インタフェースＣは、“ＰＱ（Perceptual Quantizer）”である。
【００８３】
また、ビデオシステム３０は、ＨＤＲ-A映像信号の記録再生を行い得るサーバ（Server）３７を有している。このサーバ３７に記録されるＨＤＲ-A映像信号には、ＣＣＵ３２から出力されたＨＤＲ-A映像信号やＨＤＲコンバータ３６から出力されたＨＤＲ-A映像信号も含まれる。ここで、カメラシステム、ＨＤＲコンバータ３６、サーバ３７などは入力機器を構成している。
【００８４】
また、ビデオシステム３０は、スイッチャ（Switcher）３８を有している。カメラシステムのＣＣＵ３２から出力されたＨＤＲ-A映像信号は、伝送路３９を介して、スイッチャ３８に入力される。ここで、カメラシステムのＣＣＵ３２から出力されたＨＤＲ-A映像信号には、当該ＨＤＲ-A映像信号の情報とＳＤＲ映像信号の情報が付加される。なお、カメラシステムのＣＣＵ３２から出力されたＳＤＲ映像信号は、伝送路４０を介してＳＤＲモニタ４１に供給されてモニタリングされる。
【００８５】
また、ＨＤＲコンバータ３６から出力されたたＨＤＲ-A映像信号は、伝送路４２を介して、スイッチャ３８に入力される。また、サーバ３７から再生されたＨＤＲ-A映像信号もスイッチャ３８に入力される。なお、サーバ３７には、スイッチャ３８から、記録すべきＨＤＲ-A信号が供給される。
【００８６】
スイッチャ３８は、カメラシステム、ＨＤＲコンバータ３６、サーバ３７などの複数の入力機器から入力されたＨＤＲ-A映像信号から選択的に所定のＨＤＲ-A映像信号を取り出す。スイッチャ３８で取り出された所定のＨＤＲ-A映像信号は、本線伝送路４３を通じて伝送される。なお、このＨＤＲ-A映像信号は、伝送路４４を介して、信号インタフェースＡに対応したモニタ４５に供給されてモニタリングされる。
【００８７】
また、ビデオシステム３０は、本線伝送路４３で伝送されるＨＤＲ-A映像信号を信号インタフェースＡ以外の信号インタフェースの階調圧縮処理が施されたＨＤＲ信号に変換するＨＤＲコンバータ（ＨＤＲ-Converter）４６を有している。このＨＤＲコンバータ４６は、例えばＦＰＧＡやＡＳＩＣ等の回路で構成されるプロセッサである。このＨＤＲコンバータ４６は、ＨＤＲ-A映像信号を、例えば、ＨＤＲ-B映像信号あるいはＨＤＲ-C映像信号に変換する。なお、このＨＤＲコンバータ４６で得られたＨＤＲ映像信号は、伝送路４７を介して、対応した信号インタフェースのモニタ４８に供給されてモニタリングされる。
【００８８】
また、ビデオシステム３０は、本線伝送路４３で伝送されるＨＤＲ-A映像信号をＳＤＲ映像信号に変換するＳＤＲコンバータ（SDR Converter）４９を有している。このＳＤＲコンバータ４９は、ＨＤＲ-A映像信号に当該ＨＤＲ-A映像信号の情報とＳＤＲ映像信号の情報が付加されている場合には、ＨＤＲ-A映像信号をこれらの情報に基づいて処理して、ＳＤＲ映像信号を得る。
【００８９】
図６は、カメラ３１、ＣＣＵ３２、コントロール・パネル３５などの構成例を示している。カメラ３１は、ＣＰＵ３１１と、撮像部３１２と、プリプロセス（Pre-Process）部３１３と、伝送部３１４を有している。ＣＰＵ３１１は、カメラ３１の各部の動作を制御し、さらに、ＣＣＵ３２のＣＰＵ３２１との間でカメラケーブル３３を通じて通信をする。撮像部３１２は、例えば、ＵＨＤ（８Ｋ、４Ｋなど）あるいはＨＤの解像度のイメージセンサを持ち、撮像映像信号としてＨＤＲ映像信号を出力する。
【００９０】
プリプロセス部３１３は、例えばＦＰＧＡ（field-programmable gate array）やＡＳＩＣ（Application Specific Integrated Circuit）等の回路で構成されるプロセッサであり、撮像部３１２から出力されるＨＤＲ映像信号に対して、レンズなどの光学系の補正処理や、イメージセンサのばらつきなどから生じる傷補正処理などを行う。伝送部３１４は、通信インタフェースを有する回路であり、プリプロセス部３１３で処理されたＨＤＲ映像信号をＣＣＵ３２に送信する。
【００９１】
ＣＣＵ３２は、ＣＰＵ３２１と、伝送部３２２と、ＨＤＲカメラプロセス（ＨＤＲ-CAM Process）部３２３と、ＳＤＲカメラプロセス（SDR CAM Process）部３２４を有している。ＣＰＵ３２１は、ＣＣＵ３２の各部の動作を制御し、さらに、カメラ３１のＣＰＵ３１１との間でカメラケーブル３３を通じて通信をすると共に、ＬＡＮ（Local Area Network）などの通信路３４を介して接続されたコントロール・パネル（Control Panel）３５のＣＰＵ３５１との間で通信をする。
【００９２】
コントロール・パネル３５は、ＣＰＵ３５１の他に、操作入力部３５２を有している。ＣＰＵ３５１は、ＶＥ（Video Engineer）などの制作者が操作入力部３５２から入力する各種の制御命令や設定情報を受け付け、通信路３４を介してＣＣＵ３２のＣＰＵ３２１に送る。
【００９３】
伝送部３２２は、通信インタフェースを有する回路であり、カメラ３１から送られてくるリニアなＨＤＲ映像信号を受信する。ＨＤＲカメラプロセス部３２３は、例えばＦＰＧＡやＡＳＩＣ等の回路で構成されるプロセッサであり、伝送部３２２で受信されたリニアなＨＤＲ映像信号に対して色域変換、ディテール（輪郭）補正、階調圧縮などの処理を行って、信号インタフェースＡの階調圧縮処理が施されたＨＤＲ映像信号、つまりＨＤＲ-A映像信号「HDR OETF-A」を得て、伝送路３９に送出する。ここでの階調圧縮処理は、信号インタフェースＡ用の光電気伝達関数（Opto-Electrical Transfer Function：OETF）を用いてリニア領域からビット長圧縮をする処理を意味する。
【００９４】
ＳＤＲカメラプロセス部３２４は、例えばＦＰＧＡやＡＳＩＣ等の回路で構成されるプロセッサであり、伝送部３２２で受信されたリニアなＨＤＲ映像信号に対してレベル（ゲイン）変換、色域変換、ニー補正、ディテール（輪郭）補正、ガンマ処理などを行ってＳＤＲ映像信号を得て、伝送路４０に送出する。
【００９５】
なお、ＨＤＲカメラプロセス部３２３で得られるＨＤＲ-A映像信号「HDR OETF-A」には、ＣＰＵ３２１の制御のもと、当該ＨＤＲ-A映像信号の情報と、ＳＤＲカメラプロセス部３２４で得られるＳＤＲ映像信号の情報が付加される。なお、情報を付加する方法として、ＣＰＵ３２１は、ＨＤＲビデオストリームに情報を多重化する処理を行ってもよく、あるいは、ＨＤＲデータストリームと関連付けられたメタデータファイルとしてＨＤＲビデオとは別に伝送路３９に出力してもよい。
【００９６】
図７は、ＨＤＲカメラプロセス部３２３およびＳＤＲカメラプロセス部３２４の詳細な構成例を示している。なお、この例は、ＨＤＲ映像信号がＵＨＤ（８Ｋ、４Ｋなど）の解像度を持つ例であり、ＳＤＲカメラプロセス部３２４には、解像度変換部が備えられていてもよく、ＨＤ信号に変換して出力しても良い。
【００９７】
ＨＤＲカメラプロセス部３２３は、ＨＤＲゲイン調整部３３１と、リニアマトリクス（Linear-Matrix）部３３２と、ブラックレベル（Black-level）部３３３と、ディテール（Detail）部３３４と、ＯＥＴＦ-A・フォーマッタ部３３５を有している。
【００９８】
ＨＤＲゲイン調整部３３１は、伝送部３２２（図６参照）で受信されたリニアなＨＤＲ映像信号（Linear HDR Video）に対して、マスターゲインを制御する他、ホワイトバランス調整のためにＲ，Ｇ，Ｂの各原色信号のゲインを制御する。リニアマトリクス部３３２は、ＨＤＲゲイン調整部３３１から出力されるＨＤＲ映像信号に、必要に応じて、色域変換のためのリニアマトリクス処理をする。ここの処理内容は、ＨＤＲ-Color-Gamut情報として、ＨＤＲ調整用パラメータとなる。
【００９９】
ブラックレベル部３３３は、リニアマトリクス部２２２から出力されるＨＤＲ映像信号に、ＨＤＲ調整用のパラメータ情報の一部であるブラックレベル補正のための情報（ＨＤＲ-Black）をもとに、黒レベル調整をする。ディテール部３３４は、ブラックレベル部３３３から出力されるＨＤＲ映像信号にディテール（輪郭）補正の処理をする。
【０１００】
ＯＥＴＦ-A・フォーマッタ部３３５は、ディテール部３３４から出力されるＨＤＲ映像信号に、ＨＤＲ調整用のパラメータ情報の一部であるＯＥＴＦ情報（OETF）をもとに、信号インタフェースＡの階調圧縮処理を行う。ここでの階調圧縮処理は、信号インタフェースＡ用の光電気伝達関数（OETF）を用いてリニア領域からビット長圧縮をする処理を意味する。また、ＯＥＴＦ-A・フォーマッタ部３３５は、このように階調圧縮されたＨＤＲ映像信号を、ＲＧＢドメインからＹ色差ドメインに変換して、出力ＨＤＲ-A映像信号「HDR OETF-A」を得る。
【０１０１】
ＣＰＵ３２１は、ＨＤＲ-A映像信号の情報として、例えば、ＨＤＲ調整用のパラメータ情報（「ＨＤＲ-Color Gamut」、「ＨＤＲ-Black」、「OETF」）を、ＨＤＲ-A映像信号「HDR OETF-A」に付加して伝送する。
【０１０２】
ＳＤＲカメラプロセス部３２４は、解像度変換部３４１と、ＳＤＲゲイン調整部３４２と、リニアマトリクス（Linear-Matrix）部３４３と、ブラックレベル（Black-level）部３４４と、ニー（Knee）・ディテール（Detail）部３４５と、ガンマ（Gamma）・フォーマッタ（Formatter）部３４６を有している。
【０１０３】
解像度変換部３４１は、伝送部３２２（図６参照）で受信されたリニアなＨＤＲ映像信号（Linear HDR Video）の解像度をＵＨＤからＨＤに変換してもよい。ＳＤＲゲイン調整部３４２は、解像度変換部３４１から出力されるリニアなＨＤＲ映像信号に、ＳＤＲビデオおよびＨＤＲビデオのレベルに関するパラメータ情報の一部であるリラティブゲインの情報（Relative-Gain）をもとに、マスターゲインを制御する他、ホワイトバランス調整のためにＲ，Ｇ，Ｂの各原色信号のゲインを制御する。
【０１０４】
リラティブゲインとは、ＨＤＲビデオとＳＤＲビデオとのコントラスト比を調整することを可能とするために、ＨＤＲプロセスでの画素信号に対するゲインとＳＤＲプロセスでの画素信号に対するゲインとの比率を示すパラメータである。例えば、リレイティブゲインは、ＳＤＲビデオのダイナミックレンジに対してＨＤＲビデオのダイナミックレンジを何倍に設定するかを定義する。
【０１０５】
このリレイティブゲインによって、ＨＤＲプロセス側のマスターゲインに対してＳＤＲプロセス側のマスターゲインの比を例えば１、１／２などのように任意の比に設定することができる。このようにＨＤＲプロセス側のマスターゲインとＳＤＲプロセス側のマスターゲインとの比が設定されていれば、ＳＤＲビデオのダイナミックレンジと相関を有するＨＤＲビデオのダイナミックレンジが得られる。
【０１０６】
より具体的には、ＳＤＲビデオのダイナミックレンジの上限基準は制作者により選定された基準白（Diffuse-White）により与えられる。ビデオシステム３０では、このＳＤＲビデオの基準白（Diffuse-White）が選定されることによって、リラティブゲインに基づく相関をもとに、ＨＤＲビデオのダイナミックレンジの基準（ＨＤＲビデオの基準白（Diffuse-White））も決定される。
【０１０７】
リラティブゲインは、例えば日中、夜間、室内、屋外、スタジオ内、晴天時、雨天時などの撮影環境に応じて適宜選択されたり、映像の質感を演出意図として適宜選択されたりするべきである。そのため、様々な撮影環境に対応できる変数としてリラティブゲインが用意される。リラティブゲインを用意する方法としては、ＣＣＵ３２から同時に出力されるＳＤＲビデオとＨＤＲビデオの見た目の明るさを人間の目で比較する方法が考えられる。リラティブゲインの値を変えてその都度、ＳＤＲビデオとＨＤＲビデオとを比較し、ＳＤＲビデオとＨＤＲビデオの見た目の明るさが近いリラティブゲインを撮影環境に最適なリラティブゲインとして決めればよい。
【０１０８】
なお、リラティブゲインはＳＤＲビデオ用のホワイトバランス処理またはコントラスト処理を行うための情報であればよく、例えばセンサ出力値であるＲＡＷデータに対するゲインの値等、ＨＤＲ信号のゲインに対する比率の数値以外の情報でも良い。
【０１０９】
なお、ＨＤＲビデオの持つ輝度ダイナミックレンジはＳＤＲビデオの持つ輝度ダイナミックレンジよりも広い。例として、ＳＤＲビデオの持つ輝度ダイナミックレンジを０〜１００％とすると、ＨＤＲビデオの持つ輝度ダイナミックレンジは例えば０％〜１３００％あるいは０％〜１００００％などである。
【０１１０】
リニアマトリクス部３４３は、ＳＤＲゲイン調整部３４２から出力されるＨＤＲ映像信号に、ＳＤＲ調整用のパラメータ情報の一部であってＳＤＲビデオの色に関する情報である色域情報（SDR-Color Gamut）をもとに、色域変換のためのリニアマトリクス処理をする。ブラックレベル部３４４は、リニアマトリクス部３４３から出力されるＨＤＲ映像信号に、ＳＤＲ調整用のパラメータ情報の一部であるブラックレベル補正のための情報（SDR-Black）をもとに、黒レベル調整をする。ニー・ディテール部３４５は、ブラックレベル部３４４から出力されるＨＤＲ映像信号に、ＳＤＲ調整用のパラメータ情報の一部であるニー補正に関する情報（KNEE）をもとに、ニー補正を行ってＳＤＲ映像信号にし、さらにこのＳＤＲ映像信号にディテール（輪郭）補正をする。
【０１１１】
ガンマ・フォーマッタ部３４６は、ニー・ディテール部３４５から出力されるリニアなＳＤＲ映像信号に、ＳＤＲ調整用のパラメータ情報の一部であるガンマ特性情報（SDR-Gamma）をもとに、ガンマ処理を行う。また、ガンマ・フォーマッタ部３４６は、このように信号処理されたＳＤＲ映像を、ＲＧＢドメインからＹ色差ドメインに変換して出力ＳＤＲ映像信号を得る。
【０１１２】
ＣＰＵ３２１は、ＳＤＲ映像信号の情報として、例えば、ＳＤＲ調整用のパラメータ情報（「Relative-Gain」、「SDR-Color Gamut」、「SDR-Black」、「KNEE」、「SDR-Gamma 」）を、ＨＤＲ-A映像信号「HDR OETF-A」に付加して伝送する。
【０１１３】
図８は、カメラ３１、ＣＣＵ３２、コントロール・パネル３５などの他の構成例を示している。この図８において、図６と対応する部分には同一符号を付し、適宜、その詳細説明は省略する。カメラ３１は、ＣＰＵ３１１と、撮像部３１２と、プリプロセス（Pre-Process）部３１３と、ＨＤＲカメラプロセス（ＨＤＲ-CAM Process）部３１５と、伝送部３１４を有している。
【０１１４】
ＨＤＲカメラプロセス部３１５は、例えばＦＰＧＡやＡＳＩＣ等の回路で構成されるプロセッサであり、プリプロセス部３１３で処理されたリニアなＨＤＲ映像信号に対して色域変換、ディテール（輪郭）補正、階調圧縮などの処理を行って、信号インタフェースＡの階調圧縮処理が施されたＨＤＲ映像信号、つまりＨＤＲ-A映像信号「HDR OETF-A」を得る。詳細説明は省略するが、このＨＤＲカメラプロセス部３１５は、上述したＨＤＲカメラプロセス部３２３（図６、図７参照）と同様の構成とされている。伝送部３１４は、通信インタフェースを有する回路であり、ＨＤＲカメラプロセス部３１５で得られたＨＤＲ-A映像信号「HDR OETF-A」をＣＣＵ３２に送信する。
【０１１５】
なお、ＨＤＲカメラプロセス部３１５で得られるＨＤＲ-A映像信号「HDR OETF-A」には、ＣＰＵ３１１の制御のもと、当該ＨＤＲ-A映像信号の情報が付加される。この情報は、上述のＨＤＲカメラプロセス部３２３で得られるＨＤＲ-A映像信号「HDR OETF-A」に付加されるＨＤＲ-A映像信号の情報と同様に、例えばＨＤＲ調整用のパラメータ情報（「ＨＤＲ-Color Gamut」、「ＨＤＲ-Black」、「OETF」）である。
【０１１６】
ＣＣＵ３２は、ＣＰＵ３２１と、伝送部３２２と、インバース・ＨＤＲカメラプロセス（Inverse ＨＤＲ-CAM Process）部３２５と、ＳＤＲカメラプロセス（SDR CAM Process）部３２４を有している。ＣＰＵ３２１は、ＣＣＵ３２の各部の動作を制御し、さらに、カメラ３１のＣＰＵ３１１との間でカメラケーブル３３を通じて通信をすると共に、ＬＡＮなどの通信路３４を介して接続されたコントロール・パネル３５のＣＰＵ３５１との間で通信をする。
【０１１７】
伝送部３２２は、通信インタフェースを有する回路であり、カメラ３１から送られてくるＨＤＲ-A映像信号「HDR OETF-A」を受信して、伝送路３９に出力する。上述したように、このＨＤＲ-A映像信号「HDR OETF-A」には、当該ＨＤＲ-A映像信号の情報として、例えば、ＨＤＲ調整用のパラメータ情報（「ＨＤＲ-Color Gamut」、「ＨＤＲ-Black」、「OETF」）が付加されている。
【０１１８】
インバース・ＨＤＲカメラプロセス部３２５は、例えばＦＰＧＡやＡＳＩＣ等の回路で構成されるプロセッサであり、伝送部３２２で受信されたＨＤＲ-A映像信号「HDR OETF-A」に対してＹ色差ドメインからＲＧＢドメインへの変換、階調圧縮の逆変換などの処理を行って、リニアなＨＤＲ映像信号を得る。このインバース・ＨＤＲカメラプロセス部３０２の動作は、ＣＰＵ３２１の制御のもと、ＨＤＲ-A映像信号「HDR OETF-A」に付加されている当該ＨＤＲ-A映像信号の情報に基づいて行わる。
【０１１９】
なお、上述では、カメラ３１から送られてくるＨＤＲ-A映像信号「HDR OETF-A」に当該ＨＤＲ-A映像信号の情報が付加される例を説明したが、このＨＤＲ-A映像信号の情報は、カメラ３１のＣＰＵ３１１からＣＣＵ３２のＣＰＵ３２１に通信で送られてくるようにされてもよい。
【０１２０】
ＳＤＲカメラプロセス部３２４は、インバース・ＨＤＲカメラプロセス部３２５で得られたリニアなＨＤＲ映像信号に対して、レベル（ゲイン）変換、色域変換、ニー補正、ディテール（輪郭）補正、ガンマ処理などをしてＳＤＲ映像信号を得て、伝送路４０に送出する。
【０１２１】
なお、伝送部３２２で受信されたＨＤＲ-A映像信号「HDR OETF-A」には、このＨＤＲ-A映像信号「HDR OETF-A」の情報が付加されているが、このＨＤＲ-A映像信号「HDR OETF-A」を伝送路３９に送出する際に、ＣＰＵ３２１の制御のもと、ＳＤＲカメラプロセス部３２４で得られるＳＤＲ映像信号の情報、例えばＳＤＲ調整用のパラメータ情報（「Relative-Gain」、「SDR-Color Gamut」、「SDR-Black」、「KNEE」、「SDR-Gamma 」）がさらに付加される。
【０１２２】
図９は、インバース・ＨＤＲカメラプロセス部３２５およびＳＤＲカメラプロセス部３２４の詳細な構成例を示している。なお、この例は、ＨＤＲ映像信号がＵＨＤ（８Ｋ、４Ｋなど）の解像度を持つ例であり、ＳＤＲカメラプロセス部３２４には、解像度変換部が備えられている。
【０１２３】
インバース・ＨＤＲカメラプロセス部３２５は、デフォーマッタ（De-Formatter）部３６１と、インバース・ＯＥＴＦ（Inverse-OETF）部３６２と、リムーブ・ブラックレベル（Remove-Black-level）部３６３を有している。
【０１２４】
デフォーマッタ部３６１は、伝送部３２２（図８参照）で受信されたＨＤＲ-A映像信号「HDR OETF-A」に対してＹ色差ドメインからＲＧＢドメインへの変換処理をする。インバース・ＯＥＴＦ部３６２は、ＨＤＲ調整用のパラメータ情報の一部であるＯＥＴＦ情報（OETF）をもとに、デフォーマッタ部３６１から出力されるＨＤＲ映像信号に階調圧縮の逆変換を行って、リニアなＨＤＲ映像信号を得る。
【０１２５】
リムーブ・ブラックレベル部３６３は、インバース・ＯＥＴＦ部３６２から出力されるリニアなＨＤＲ映像信号のブラックレベルを、ＨＤＲ調整用のパラメータ情報の一部であるブラックレベル補正のための情報（ＨＤＲ-Black）をもとに、ＨＤＲカメラプロセス部３１５（図８参照）のブラックレベル部で調整される前の状態に戻す。
【０１２６】
なお、ＳＤＲカメラプロセス部３２４の構成については、図７で説明したものと同様であるので、ここではその説明は省略する。
【０１２７】
図１０は、ＨＤＲコンバータ３６およびＨＤＲコンバータ４６の詳細な構成例を示している。ここでは、ＨＤＲコンバータ３６ではＨＤＲ-B映像信号からＨＤＲ-A映像信号に変換され、ＨＤＲコンバータ４６ではＨＤＲ-A映像信号からＨＤＲ-B映像信号に変換される例を示している。
【０１２８】
ＨＤＲコンバータ３６は、デフォーマッタ部３７０と、インバース・ＯＥＴＦ-B部３７１と、ＯＯＴＦ-B部３７２と、インバース・ＯＯＴＦ-A部３７３と、ＯＥＴＦ-A・フォーマッタ部３７４を有している。
【０１２９】
デフォーマッタ部３７０は、入力された信号インタフェースＢの階調圧縮処理が施されたＨＤＲ-B映像信号「HDR OETF-B」に対してＹ色差ドメインからＲＧＢドメインへの変換処理をする。インバース・ＯＥＴＦ-B部３７１は、デフォーマッタ部３７０から出力されたＨＤＲ映像信号に、信号インタフェースＢの階調圧縮処理に対応した階調伸長処理を行う。ここでの階調伸長処理は、信号インタフェースＢ用の光電気伝達関数（OETF）の逆特性を用いて行われる。
【０１３０】
ＯＯＴＦ-B部３７２は、インバース・ＯＥＴＦ-B部３７１から出力されたリニアなＨＤＲ映像信号に対して、信号インタフェースＢのシステムガンマ（OOTF）の特性を付加する。インバース・ＯＯＴＦ-A部３７３は、ＯＯＴＦ-B部３７２から出力されたＨＤＲ映像信号に対して、信号インタフェースＡのシステムガンマ（OOTF）の特性をキャンセルする特性を付加する。
【０１３１】
ＯＥＴＦ-A・フォーマッタ部３７４は、インバース・ＯＯＴＦ-A部３７３から出力されたＨＤＲ映像信号に対して信号インタフェースＡの階調圧縮処理を行う。ここでの階調圧縮処理は、信号インタフェースＡ用の光電気伝達関数（OETF）を用いてリニア領域からビット長圧縮をする処理を意味する。また、ＯＥＴＦ-A・フォーマッタ部３７４は、このように階調圧縮されたＨＤＲ映像信号を、ＲＧＢドメインからＹ色差ドメインに変換して、信号インタフェースＡの階調圧縮処理が施されたＨＤＲ-A映像信号「HDR OETF-A」を得て、伝送路４２に送出する。
【０１３２】
このようにＨＤＲコンバータ３６には、ＯＯＴＦ-B部３７２およびインバース・ＯＯＴＦ-A部３７３が存在する。そのため、このＨＤＲコンバータ３６で得られたＨＤＲ-A映像信号「HDR OETF-A」を、信号インタフェースＡに対応したモニタ４５でモニタリングした場合、モニタ４５に表示される映像は、ＨＤＲコンバータ３６の入力であるＨＤＲ-B映像信号「HDR OETF-B」をモニタリングする信号インタフェースＢに対応したモニタ５１に表示される映像と同じくなる。
【０１３３】
ＨＤＲコンバータ４６は、デフォーマッタ部３７５と、インバース・ＯＥＴＦ-A部３７６と、ＯＯＴＦ-A部３７７と、インバース・ＯＯＴＦ-B部３７８と、ＯＥＴＦ-B・フォーマッタ部３７９を有している。
【０１３４】
デフォーマッタ部３７５は、スイッチャ３８で取り出された信号インタフェースＡの階調圧縮処理が施されたＨＤＲ-A映像信号「HDR OETF-A」に対してＹ色差ドメインからＲＧＢドメインへの変換処理をする。インバース・ＯＥＴＦ-A部３７６は、デフォーマッタ部３７５から出力されたＨＤＲ映像信号に、信号インタフェースＡの階調圧縮処理に対応した階調伸長処理を行う。ここでの階調伸長処理は、信号インタフェースＡ用の光電気伝達関数（OETF）の逆特性を用いて行われる。
【０１３５】
ＯＯＴＦ-A部３７７は、インバース・ＯＥＴＦ-A部３７６から出力されたリニアなＨＤＲ映像信号に対して、信号インタフェースＡのシステムガンマ（OOTF）の特性を付加する。インバース・ＯＯＴＦ-B部３７８は、ＯＯＴＦ-A部３７７から出力されたＨＤＲ映像信号に対して、信号インタフェースＢのシステムガンマ（OOTF）の特性をキャンセルする特性を付加する。
【０１３６】
ＯＥＴＦ-B・フォーマッタ部３７９は、インバース・ＯＯＴＦ-B部３７８から出力されたＨＤＲ映像信号に対して信号インタフェースＢの階調圧縮処理を行う。ここでの階調圧縮処理は、信号インタフェースＢ用の光電気伝達関数（OETF）を用いてリニア領域からビット長圧縮をする処理を意味する。また、ＯＥＴＦ-B・フォーマッタ部３７９は、このように階調圧縮されたＨＤＲ映像信号を、ＲＧＢドメインからＹ色差ドメインに変換して、信号インタフェースＢの階調圧縮処理が施されたＨＤＲ-B映像信号「HDR OETF-B」を得て出力する。
【０１３７】
このようにＨＤＲコンバータ４６で得られたＨＤＲ-B映像信号「HDR OETF-B」は、信号インタフェースＢに対応したモニタ４８でモニタリングできる。ＨＤＲコンバータ４６には、ＯＯＴＦ-A部３７７およびインバース・ＯＯＴＦ-B部３７８が存在する。そのため、モニタ４８に表示される映像は、ＨＤＲコンバータ４６の入力であるＨＤＲ-A映像信号「HDR OETF-A」をモニタリングするモニタ４５の表示映像と同じくなる。
【０１３８】
図１１も、ＨＤＲコンバータ３６およびＨＤＲコンバータ４６の詳細な構成例を示している。ここでは、ＨＤＲコンバータ３６ではＨＤＲ-C映像信号からＨＤＲ-A映像信号に変換され、ＨＤＲコンバータ４６ではＨＤＲ-A映像信号からＨＤＲ-C映像信号に変換される例を示している。
【０１３９】
ＨＤＲコンバータ３６は、デフォーマッタ部３８０と、ＥＯＴＦ-C部２８１と、インバース・ＯＯＴＦ-A部３８２と、ＯＥＴＦ-A・フォーマッタ部３８３を有している。
【０１４０】
デフォーマッタ部３８０は、入力された信号インタフェースＣの階調圧縮処理が施されたＨＤＲ-C映像信号-C「HDR EOTF-C」に対してＹ色差ドメインからＲＧＢドメインへの変換処理をする。ＥＯＴＦ-C部３８１は、デフォーマッタ部３８０から出力されたＨＤＲ映像信号に、信号インタフェースＣの階調圧縮処理に対応した階調伸長処理を行う。ここでの階調伸長処理は、信号インタフェースＣ用の電気光伝達関数（EOTF）を用いて行われる。インバース・ＯＯＴＦ-A部３８２は、ＥＯＴＦ-C部２８１から出力されたＨＤＲ映像信号に対して、信号インタフェースＡのシステムガンマ（OOTF）の特性をキャンセルする特性を付加する。
【０１４１】
ＯＥＴＦ-A・フォーマッタ部３８３は、インバース・ＯＯＴＦ-A部３８２から出力されたＨＤＲ映像信号に対して信号インタフェースＡの階調圧縮処理を行う。ここでの階調圧縮処理は、信号インタフェースＡ用の光電気伝達関数（OETF）を用いてリニア領域からビット長圧縮をする処理を意味する。また、ＯＥＴＦ-A・フォーマッタ部３８３は、このように階調圧縮されたＨＤＲ映像信号を、ＲＧＢドメインからＹ色差ドメインに変換して、信号インタフェースＡの階調圧縮処理が施されたＨＤＲ-A映像信号「HDR OETF-A」を得て、伝送路４２に送出する。
【０１４２】
このようにＨＤＲコンバータ３６には、インバース・ＯＯＴＦ-C部１２６（図１参照）が存在しないと共に、インバース・ＯＯＴＦ-A部３８２が存在する。そのため、このＨＤＲコンバータ３６で得られたＨＤＲ-A映像信号「HDR OETF-A」を、信号インタフェースＡに対応したモニタ４５でモニタリングした場合、モニタ４５に表示される映像は、ＨＤＲコンバータ３６の入力であるＨＤＲ-C映像信号「HDR OETF-C」をモニタリングする信号インタフェースＣに対応したモニタ５２に表示される映像と同じくなる。
【０１４３】
ＨＤＲコンバータ４６は、デフォーマッタ部３８５と、インバース・ＯＥＴＦ-A部３８６と、ＯＯＴＦ-A部３８７と、インバース・ＥＯＴＦ-C・フォーマッタ部３８８を有している。デフォーマッタ部３８５は、スイッチャ３８で取り出された信号インタフェースＡの階調圧縮処理が施されたＨＤＲ-A映像信号「HDR OETF-A」に対してＹ色差ドメインからＲＧＢドメインへの変換処理をする。
【０１４４】
インバース・ＯＥＴＦ-A部３８６は、デフォーマッタ部３８５から出力されたＨＤＲ映像信号に、信号インタフェースＡの階調圧縮処理に対応した階調伸長処理を行う。ここでの階調伸長処理は、信号インタフェースＡ用の光電気伝達関数（OETF）の逆特性を用いて行われる。ＯＯＴＦ-A部３８７は、インバース・ＯＥＴＦ-A部３８６から出力されたリニアなＨＤＲ映像信号に対して、信号インタフェースＡのシステムガンマ（OOTF）の特性を付加する。
【０１４５】
インバース・ＥＯＴＦ-C・フォーマッタ部３８８は、ＯＯＴＦ-A部３８７から出力されたＨＤＲ映像信号に対して信号インタフェースＣの階調圧縮処理を行う。ここでの階調圧縮処理は、信号インタフェースＣ用の電気光伝達関数（EOTF）の逆特性を用いて、リニア領域からビット長圧縮をする処理を意味する。また、インバース・ＥＯＴＦ-C・フォーマッタ部３８８は、このように階調圧縮されたＨＤＲ映像信号を、ＲＧＢドメインからＹ色差ドメインに変換して、信号インタフェースＣの階調圧縮処理が施されたＨＤＲ-C映像信号「HDR EOTF-C」を得て出力する。
【０１４６】
このようにＨＤＲコンバータ４６で得られたＨＤＲ-C映像信号「HDR EOTF-C」は、信号インタフェースＣに対応したモニタ４８でモニタリングできる。ＨＤＲコンバータ４６には、ＯＯＴＦ-A部３８７が存在すると共に、ＯＯＴＦ-C部１２６（図１参照）が存在しない。そのため、モニタ４８に表示される映像は、ＨＤＲコンバータ４６の入力であるＨＤＲ-A映像信号「HDR OETF-A」をモニタリングするモニタ４５の表示映像と同じくなる。
【０１４７】
なお、ＨＤＲコンバータ４６は上述したように例えばＦＰＧＡやＡＳＩＣ等の回路で構成されるプロセッサである。ビデオシステム３０は、上述の図１０に示すようにＨＤＲ-A映像信号「HDR OETF-A」からＨＤＲ-B映像信号「HDR OETF-B」に変換するＨＤＲコンバータ４６と、上述の図１１に示すようにＨＤＲ-A映像信号「HDR OETF-A」からＨＤＲ-C映像信号「HDR EOTF-C」に変換するＨＤＲコンバータ４６とを並列的に持つこともできるが、1つのＨＤＲコンバータ４６の機能を切り替えて使用する構成も考えられる。その場合、出力信号インタフェースだけをユーザが設定し、入力信号インタフェースの設定は、ＨＤＲ-A映像信号「HDR OETF-A」に付加されているＨＤＲ映像信号の情報に基づいて、自動で変換設定が行われるようにされてもよい。
【０１４８】
図１２は、ＳＤＲコンバータ４９の構成例を示している。ＳＤＲコンバータ４９は、ＣＰＵ４０１と、インバース・ＨＤＲカメラプロセス（Inverse ＨＤＲ-CAM Process）部４０２と、ＳＤＲカメラプロセス（SDR CAM Process）部４０３を有している。ＣＰＵ４０１は、ＳＤＲコンバータ４９の各部の動作を制御する。
【０１４９】
インバース・ＨＤＲカメラプロセス部４０２は、例えばＦＰＧＡやＡＳＩＣ等の回路で構成されるプロセッサであり、スイッチャ３８で取り出された信号インタフェースＡの階調圧縮処理が施されたＨＤＲ-A映像信号「HDR OETF-A」に対してＹ色差ドメインからＲＧＢドメインへの変換、階調圧縮の逆変換などの処理を行って、リニアなＨＤＲ映像信号を得る。このインバース・ＨＤＲカメラプロセス部４０２の動作は、ＣＰＵ４０１の制御のもと、ＨＤＲ-A映像信号「HDR OETF-A」に付加されている当該ＨＤＲ-A映像信号の情報に基づいて行われてもよい。
【０１５０】
ＳＤＲカメラプロセス部４０３は、インバース・ＨＤＲカメラプロセス部４０２で得られたリニアなＨＤＲ映像信号に対してレベル（ゲイン）変換、色域変換、ニー補正、ディテール（輪郭）補正、ガンマ処理などをしてＳＤＲ映像信号を得て送出する。このＳＤＲカメラプロセス部４０３の動作は、ＣＰＵ４０１の制御のもと、ＨＤＲ-A映像信号「HDR OETF-A」に付加されているＳＤＲ映像信号の情報に基づいて行われてもよい。
【０１５１】
図１３は、インバース・ＨＤＲカメラプロセス部４０２およびＳＤＲカメラプロセス部４０３の詳細な構成例を示している。なお、この例は、ＨＤＲ映像信号がＵＨＤ（８Ｋ、４Ｋなど）の解像度を持つ例であり、ＳＤＲカメラプロセス部４０３には、解像度変換部が備えられていてもよい。
【０１５２】
インバース・ＨＤＲカメラプロセス部４０２は、デフォーマッタ（De-Formatter）部４２１と、インバース・ＯＥＴＦ（Inverse-OETF）部４２２と、リムーブ・ブラックレベル（Remove-Black-level）部４２３を有している。
【０１５３】
デフォーマッタ部４２１は、スイッチャ３８で取り出された信号インタフェースＡの階調圧縮処理が施されたＨＤＲ-A映像信号「HDR OETF-A」に対してＹ色差ドメインからＲＧＢドメインへの変換処理をする。インバース・ＯＥＴＦ部４２２は、ＨＤＲ調整用のパラメータ情報の一部であるＯＥＴＦ情報（OETF）をもとに、デフォーマッタ部４２１から出力されるＨＤＲ映像信号に階調圧縮の逆変換を行って、リニアなＨＤＲ映像信号を得る。
【０１５４】
リムーブ・ブラックレベル部４２３は、インバース・ＯＥＴＦ部４２２から出力されるリニアなＨＤＲ映像信号のブラックレベルを、ＨＤＲ調整用のパラメータ情報の一部であるブラックレベル補正のための情報（ＨＤＲ-Black）をもとに、調整前の状態に戻す。
【０１５５】
ＳＤＲカメラプロセス部４０３は、解像度変換部４３１と、ＳＤＲゲイン調整部４３２と、リニアマトリクス（Linear-Matrix）部４３３と、ブラックレベル（Black-level）部４３４と、ニー（Knee）・ディテール（Detail）部４３５と、ガンマ（Gamma）・フォーマッタ（Formatter）部４３６を有している。
【０１５６】
解像度変換部４３１は、インバース・ＨＤＲカメラプロセス部４０２で得られたリニアなＨＤＲ映像信号（Linear HDR Video）の解像度をＵＨＤからＨＤに変換する。ＳＤＲゲイン調整部４３２は、解像度変換部４３１でＨＤ解像度に変換されたリニアなＨＤＲ映像信号に、ＳＤＲビデオおよびＨＤＲビデオのレベルに関するパラメータ情報の一部であるリラティブゲインの情報（Relative-Gain）をもとに、マスターゲインを制御する他、ホワイトバランス調整のためにＲ，Ｇ，Ｂの各原色信号のゲインを制御してもよい。
【０１５７】
リニアマトリクス部４３３は、ＳＤＲゲイン調整部４３２から出力されるＨＤＲ映像信号に、ＳＤＲ調整用のパラメータ情報の一部であってＳＤＲビデオの色に関する情報である色域情報（SDR-Color Gamut）をもとに、色域変換のためのリニアマトリクス処理をする。ブラックレベル部４３４は、リニアマトリクス部４３３から出力されるＨＤＲ映像信号に、ＳＤＲ調整用のパラメータ情報の一部であるブラックレベル補正のための情報（SDR-Black）をもとに、黒レベル調整をする。ニー・ディテール部４３５は、ブラックレベル部４３４から出力されるＨＤＲ映像信号に、ＳＤＲ調整用のパラメータ情報の一部であるニー補正に関する情報（KNEE）をもとに、ニー補正を行って、さらにこのＳＤＲ映像信号にディテール（輪郭）補正をする。
【０１５８】
ガンマ・フォーマッタ部４３６は、ニー・ディテール部４３５から出力されるリニアなＳＤＲ映像信号に、ＳＤＲ調整用のパラメータ情報の一部であるダイナミックレンジの圧縮に関する情報（SDR-Gamma）をもとに、ガンマ処理を行う。また、ガンマ・フォーマッタ部４３６は、ＲＧＢドメインからＹ色差ドメインに変換して出力ＳＤＲ映像信号を得る。
【０１５９】
上述したように、図５に示すビデオシステム３０においては、複数の入力機器は基準信号インタフェース（統一信号インタフェース）である信号インタフェースＡの階調圧縮処理が施されたＨＤＲ-A映像信号をスイッチャ３８に入力するものであり、このスイッチャ３８で取り出される所定のＨＤＲ映像信号は常に基準信号インタフェースの階調圧縮処理が施されたＨＤＲ-A映像信号となる。そのため、基準信号インタフェース（統一信号インタフェース）対応のモニタ４５でのモニタリングで、複数の入力機器の映像調整を一律に行うことが可能となる。
【０１６０】
また、図５に示すビデオシステム３０において、ＨＤＲコンバータ４６では、信号インタフェースＡ以外の他の信号インタフェースの階調圧縮処理が施されたＨＤＲ映像信号を出力するとき、少なくとも、信号インタフェースＡのシステムガンマの特性を付加する処理が行われる。そのため、他の信号インタフェースの階調圧縮処理が施されたＨＤＲ映像信号をそのインタフェース対応のモニタ４８でモニタリングした場合、その映像を、上述したように所定のＨＤＲ映像信号を信号インタフェースＡ対応のモニタでモニタリングした場合の映像（調整された映像）と同じくできる。
【０１６１】
なお、上述していないが、第４の実施の形態のビデオシステム３０（図５参照）におけるＨＤＲコンバータ３６は、ＨＤＲ-B映像信号やＨＤＲ-C映像信号をＨＤＲ-A映像信号に変換する際に、映像の変更を加えられる機能を有していてもよい。この場合、ＨＤＲコンバータ３６は、例えば、図１４（ａ），（ｂ）に示すように、シグナル・プロセッサ４４１を有する構成とされる。
【０１６２】
図１４（ａ）は、ＨＤＲ-B映像信号をＨＤＲ-A映像信号に変換するＨＤＲコンバータ３６の構成例を示している。図１４（ｂ）は、ＨＤＲ-C映像信号をＨＤＲ-A映像信号に変換するＨＤＲコンバータ３６の構成例を示している。例えば、ＨＤＲコンバータ３６から出力されるＨＤＲ-A映像信号による映像をさらに明るくしたければ、シグナル・プロセッサ４４１は明るさをマニュアル調整できる機能があればよい。また、例えば、ＨＤＲコンバータ３６から出力されるＨＤＲ-A映像信号の色味を変更したければ、シグナル・プロセッサ４４１は色味をマニュアル調整できる機能があればよい。
【０１６３】
また、ＨＤＲコンバータ３６に入力されるＨＤＲ-B映像信号やＨＤＲ-C映像信号として、図１５（ａ），（ｂ）に示すように、モニタ側にＯＯＴＦ機能がない状況で作られた映像信号を考慮することができる。図１５（ａ）は、カメラ４４２からのリニアなＨＤＲ信号をカメラ・コントロール・ユニット（ＣＣＵ）４４３で処理して、信号インタフェースＸの階調圧縮処理が施されたＨＤＲ-X映像信号「HDR OETF-X」を得る例であり、これをモニタリングするためのモニタ４４４にＯＯＴＦ機能がないことを示している。図１５（ｂ）は、ストレージ４４５からのリニアなＨＤＲ信号をビデオ・プロセッサ・ユニット（ＢＰＵ）４４６で処理して、信号インタフェースＸの階調圧縮処理が施されたＨＤＲ-X映像信号「HDR OETF-X」を得る例であり、これをモニタリングするためのモニタ４４７にＯＯＴＦ機能がないことを示している。
【０１６４】
この場合、以下のケース（１）、ケース（２）が考えられる。
ケース（１）：単純に映像の素材データとして、カメラ映像のキャプチャリングが行われただけで、映像としての調整（いわゆるポストプロダクション）は行われていない場合の映像。
ケース（２）：ＯＯＴＦの無いモニタ視聴環境で、映像として、どのような見え方になるか、全て、映像調整の中に込められた場合の映像。
【０１６５】
ケース（１）の場合は、特に問題は無いが、ケース（２）の場合は、映像の中にシステムガンマ（OOTF-x）の特性が込められていると判断すべきである。また、電気光伝達関数（EOTF）で定義されている信号インタフェース、例えば信号インタフェースＣの場合、もともとモニタ側でシステムガンマ（OOTF）を付加する処理は行われていないので、同等の場合とみなすことができる。
【０１６６】
図１６（ａ），（ｂ）に示すように、ＨＤＲ-C映像信号の出力側の信号処理で、実際に、システムガンマ（OOTF）を付加する処理がされていない場合でも、ケース（２）に該当する場合（モニタ上の映像が完成映像の場合）は、システムガンマ（OOTF）の特性が考慮されていると判断すべきである。
【０１６７】
なお、図１６（ａ）は、カメラ４５１からのリニアなＨＤＲ信号をカメラ・コントロール・ユニット（ＣＣＵ）４５２で処理してＨＤＲ-C映像信号を得る例であり、信号インタフェースＣに対応したモニタ４５３でその映像信号のモニタリングしていることを示している。また、図１６（ｂ）は、ストレージ４５４からのリニアなＨＤＲ信号をビデオ・プロセッサ・ユニット（ＢＰＵ）４５５で処理してＨＤＲ-C映像信号を得る例であり、信号インタフェースＣに対応したモニタ４５６でその映像信号のモニタリングしていることを示している。
【０１６８】
上述のケース（１）に該当するならば、図１７（ａ），（ｂ）に示すように、ＨＤＲコンバータ３６では、システムガンマ（OOTF）の特性を付加する処理はせず、信号インタフェースＡの標準モニタリング環境で、所望の映像になるように、信号処理を行えばよい。
【０１６９】
また、光電気伝達関数（OETF）定義の信号インタフェースで上述のケース（２）に該当するならば、例えば、図１８（ａ）に示すように、信号インタフェースＢのシステムガンマ（OOTF-B）の処理はせず、ＯＥＴＦ/ＥＯＴＦの信号インタフェース変換と、変換先の信号インタフェースＡのシステムガンマ（OOTF-A）をキャンセルする処理だけ行えばよい。
【０１７０】
また、電気光伝達関数（EOTF）定義の信号インタフェースで上述のケース（２）に該当するならば、例えば、図１８（ｂ）に示すように、ＯＥＴＦ/ＥＯＴＦの信号インタフェース変換と、変換先の信号インタフェースＡのシステムガンマ（OOTF-A）をキャンセルする処理だけ行えばよい。
【０１７１】
＜５．第５の実施の形態＞
［ＨＤＲ制作ライブシステムの構成例］
図１９は、第５の実施の形態としてのＨＤＲ制作ライブシステム５００の構成例を示している。このＨＤＲ制作ライブシステム５００は、カメラとカメラ・コントロール・ユニット（ＣＣＵ：Camera Control Unit）からなるカメラシステムを所定数有している。この実施の形態では、カメラ５０１とＣＣＵ５０２からなるカメラシステムと、カメラ５１１とＣＣＵ５１２からなるカメラシステムの２つを有している。
【０１７２】
ＣＣＵ５０２，５１２は、カメラ５０１，５１１からの撮像映像信号に対して画づくりの処理をする。ＣＣＵ５０２，５１２からは、信号インタフェースＡの階調圧縮処理が施されたハイダイナミックレンジ（ＨＤＲ：High Dynamic Range）映像信号（ＨＤＲ-A映像信号）が得られる。この実施の形態において、信号インタフェースＡは、基準信号インタフェース（統一信号インタフェース）とされる。例えば、信号インタフェースＡは、“Ｓ−Ｌｏｇ３”である。
【０１７３】
また、ＨＤＲ制作ライブシステム５００は、リプレイ再生等のために映像ファイルの記録再生を行うサーバ（Server）５２１を有している。このサーバ５２１に記録されるファイルには、ＣＣＵ５０２，５１２から出力される映像信号５０３，５１３のファイルの他に、パーソナルコンピュータ（ＰＣ）等の外部機器から通信で取得される映像ファイルも含まれる。
【０１７４】
ＣＣＵ５０２，５１２から出力される映像信号５０３，５１３は、後述するスイッチャ５２５を介してサーバ５２１に、ＳＤＩ信号として送られる。このＳＤＩ信号の例えばペイロードＩＤ領域やＶＡＮＣ領域には信号インタフェースＡの情報がメタデータとして付加されている。これにより、サーバ５２１は、ＣＣＵ５０２，５１２から出力される映像信号５０３，５１３がＨＤＲ-A映像信号であることを認識でき、これらの映像信号５０３，５１３のファイルには、その属性情報として信号インタフェースＡの情報が付加されたものとなる。なお、パーソナルコンピュータ（ＰＣ）等の外部機器から入力され映像ファイルにも同様に信号インタフェースの情報が付加されており、それによりサーバ５２１はファイルに如何なる信号インタフェースの映像信号が含まれているかを認識できる。
【０１７５】
ここで、パーソナルコンピュータ（ＰＣ）等の外部機器から入力され映像ファイルに含まれる映像信号は、上述のＨＤＲ-A映像信号だけに限定されるものではなく、信号インタフェースＢの階調圧縮処理が施されたＨＤＲ映像信号（ＨＤＲ-B映像信号）、あるいは信号インタフェースＣの階調圧縮処理が施されたＨＤＲ映像信号（ＨＤＲ-C映像信号）、さらには通常ダイナミックレンジ（ＳＤＲ：(Standard Dynamic Range）映像信号であることも考えられる。例えば、信号インタフェースＢは“ＨＬＧ（Hybrid Log-Gamma）”であり、信号インタフェースＣは、“ＰＱ（Perceptual Quantizer）”である。
【０１７６】
また、ＨＤＲ制作ライブシステム５００は、サーバ５２１のオペレータが操作をするに当たって、ストレージ５３７に記録されているファイル内の映像を適宜確認するためのモニタ５２３を有している。サーバ５２１からモニタ５２３には、モニタ５２３が対応する信号インタフェースに応じた映像信号５２２がＳＤＩ信号として送られる。この実施の形態において、モニタ５２３は、例えばＳＤＲモニタあるいは信号インタフェースＢに対応したＨＤＲモニタであり、サーバ５２１からモニタ５２３には、映像信号５２２としてＳＤＲ映像信号あるいはＨＤＲ-B映像信号が供給される。
【０１７７】
また、ＨＤＲ制作ライブシステム５００は、スイッチャ（Switcher）５２５を有している。ＣＣＵ５０２，５１２から出力されるＨＤＲ-A映像信号５０３，５１３は、スイッチャ５２５にＳＤＩ信号として入力される。上述したように、このＳＤＩ信号の例えばペイロードＩＤ領域やＶＡＮＣ領域には信号インタフェースＡの情報がメタデータとして付加されている。
【０１７８】
また、サーバ５２１から再生された映像信号５２４もスイッチャ５２５に入力される。この映像信号５２４は、信号インタフェースＡの階調圧縮処理が施されたＨＤＲ映像信号（ＨＤＲ-A映像信号）であり、サーバ５２１からスイッチャ５２５に、ＳＤＩ信号として送られる。このＳＤＩ信号の例えばペイロードＩＤ領域やＶＡＮＣ領域には信号インタフェースＡの情報がメタデータとして付加されている。
【０１７９】
スイッチャ５２５は、カメラシステム、サーバ５２１などの複数の入力機器から入力されたＨＤＲ-A映像信号から選択的に所定のＨＤＲ-A映像信号を取り出して出力するか、あるいは複数の入力機器から入力されたＨＤＲ-A映像信号のうち任意の映像信号をミックスして出力する。スイッチャ５２５で取り出された本線信号としてのＨＤＲ-A映像信号５２６は、ＳＤＩ信号としてそのまま出力される。
【０１８０】
ＨＤＲ制作ライブシステム５００は、ＨＤＲコンバータ（ＨＤＲ-Converter）５２７を有している。スイッチャ５２５で取り出された所定のＨＤＲ-A映像信号５２６は、ＳＤＩ信号として、ＨＤＲコンバータ５２７に送られる。ＨＤＲコンバータ５２７は、ＨＤＲ-A映像信号を、例えば、ＨＤＲ-B映像信号あるいはＨＤＲ-C映像信号等のＨＤＲ映像信号５２８に変換して出力する。このＨＤＲ映像信号５２８は、ＳＤＩ信号として出力される。このＳＤＩ信号の例えばペイロードＩＤ領域やＶＡＮＣ領域には信号インタフェースの情報がメタデータとして付加されている。
【０１８１】
図２０は、サーバ５２１の構成例を示している。図中の実線矢印は信号の流れを示し、破線矢印は制御の方向を示すものとする。図示の例では、入力系を２系統備えると共に出力系を２系統備えるものであるが、各系の個数はこれに限定されるものではない。
【０１８２】
サーバ５２１は、ＣＰＵ５３１と、ＳＤＩ（Serial Digital Interface）入力部５３２-1，５３２-2と、エンコーダ５３３-1，５３３-2と、デコーダ５３４-1，５３４-2と、ＯＥＴＦ（Opto-Electrical Transfer Function）変換部５３５-1，５３５-2と、ＳＤＩ出力部５３６-1，５３６-2と、ストレージ５３７と、通信インタフェース５３８を有している。
【０１８３】
ＣＰＵ５３１は、サーバ５２１の各部の動作を制御する。ＳＤＩ入力部５３２-1，５３２-2は、ＳＤＩ信号を受け取り、そのＳＤＩ信号から映像信号やメタデータを抽出する。このメタデータには、そのＳＤＩ信号に含まれる映像信号の信号インタフェースの情報も存在する。ＳＤＩ入力部５３２-1，５３２-2は、ＳＤＩ信号から抽出したメタデータをＣＰＵ５３１に送る。これにより、ＣＰＵ５３１は、ＳＤＩ信号に含まれる映像信号の信号インタフェースが如何なるものであるかを認識できる。
【０１８４】
エンコーダ５３３-1，５３３-2は、ＳＤＩ入力部５３２-1，５３２-2でＳＤＩ信号から抽出された映像信号に対して例えばＸＡＶＣ等の圧縮フォーマットによる符号化処理を施してファイル（記録ファイル）を生成する。なお、このファイルには、その属性情報として映像信号の信号インタフェース情報が付加される。エンコーダ５３３-1，５３３-2で生成されたファイルは、ＣＰＵ５３１の制御のもと、ストレージ５３７に記録され、再生される。
【０１８５】
ここで、ＳＤＩ入力部５３２-1およびエンコーダ５３３-1は、第１の入力系を構成する。そして、ＳＤＩ入力部５３２-1では、ＣＣＵ５０２から出力されるＨＤＲ-A映像信号５０３がＳＤＩ信号として受け取られる。また、ＳＤＩ入力部５３２-2およびエンコーダ５３３-2は、第２の入力系を構成する。そして、ＳＤＩ入力部５３２-2では、ＣＣＵ５１２から出力されるＨＤＲ-A映像信号５１３がＳＤＩ信号として受け取られる。
【０１８６】
通信インタフェース５３８は、例えば、イーサネットインタフェース（Ethernet interface）であり、外部機器としてのパーソナルコンピュータ（ＰＣ）５５０と通信をして、過去映像やＣＧ（Computer Graphics）映像に係るファイル（映像ファイル）を取得し、ＣＰＵ５３１に送る。このファイルは、ＣＰＵ５３１の制御のもと、ストレージ５３７に記録され、再生される。ここで、「Ethernet」、「イーサネット」は登録商標である。
【０１８７】
このファイルにも、映像信号の信号インタフェース情報が属性情報として付加されている。この場合、ファイルに含まれる映像信号はＳＤＲ映像信号であることもあり、また、ＨＤＲ映像信号でもＨＤＲ-A映像信号、ＨＤＲ-B映像信号、ＨＤＲ-C映像信号等の種々の信号インタフェースに対応している可能性がある。
【０１８８】
なお、ＣＰＵ５３１は、ストレージ５３７からファイルを取り出し、通信インタフェース５３８を通じて、ＰＣ５５０に送ることもできる。これにより、ＰＣ５５０で、ファイルの編集等を行って、編集後のファイルをストレージ５３７に戻すことも可能となる。
【０１８９】
デコーダ５３４-1，５３４-2は、ストレージ５３７から再生されたファイル（映像ファイル）に対して復号化処理を施してベースバンドの再生映像信号を得る。この再生映像信号は、第１の信号インタフェースに対応する階調圧縮処理が施されたものであり、ＨＤＲ-A映像信号、ＨＤＲ-B映像信号、ＨＤＲ-C映像信号、ＳＤＲ映像信号などである。
【０１９０】
ＯＥＴＦ変換部５３５-1，５３５-2は、デコーダ５３４-1，５３４-2で得られた再生映像信号にＯＥＴＦ変換処理をし、出力信号インタフェースである第２の信号インタフェースに対応する階調圧縮処理が施された出力映像信号を得る。なお、再生映像信号の第１の信号インタフェースが出力映像信号の第２の信号インタフェースと同じである場合、ＯＥＴＦ変換部５３５-1，５３５-2は、ＯＥＴＦ変換処理を行うことなく、再生映像信号をそのまま出力映像信号とする。
【０１９１】
ＯＥＴＦ変換部５３５-1，５３５-2は、再生映像信号の第１の信号インタフェースの情報と出力映像信号の第２の信号インタフェースの情報に基づいて処理設定をする。ＯＥＴＦ変換部５３５-1，５３５-2の処理設定は、ＣＰＵ５３１の制御に基づいて行われる。ＣＰＵ５３１は、再生映像信号の第１の信号インタフェースの情報をファイルに付加されている属性情報から得ることができ、また、出力映像信号の第２の信号インタフェースの情報をシステム構成時における設定情報から得ることができる。
【０１９２】
ＯＥＴＦ変換部５３５-1，５３５-2は、それぞれ、独立した処理設定を行うことが可能とされている。ここで、ＯＥＴＦ変換部５３５-1，５３５-2は、例えばプレイリスト再生のように再生映像信号がストレージ５３７に記録されている複数のファイルの連続再生で得られたものであるとき、再生映像信号の第１の信号インタフェースの情報の変化に応じて処理設定を変更する。
【０１９３】
ＳＤＩ出力部５３６-1，５３６-2は、ＯＥＴＦ変換部５３５-1，５３５-2で得られた出力映像信号をＳＤＩ信号として出力する。この場合、ＳＤＩ出力部５３６-1，５３６-2は、ＳＤＩ信号の例えばペイロードＩＤ領域やＶＡＮＣ領域に出力映像信号の第２の信号インタフェースの情報をメタデータとして設定する。
【０１９４】
ここで、デコーダ５３４-1、ＯＥＴＦ変換部５３５-1およびＳＤＩ出力部５３６-1は、第１の出力系を構成する。そして、ＳＤＩ出力部５３６-1からは、スイッチャ５２５に送るためのＨＤＲ-A映像信号５２４がＳＤＩ信号として出力される。また、デコーダ５３４-2、ＯＥＴＦ変換部５３５-2およびＳＤＩ出力部５３６-2は、第２の出力系を構成する。そして、ＳＤＩ出力部５３６-2からは、モニタ５２３に送るためのＳＤＲ映像信号あるいはＨＤＲ-B映像信号がＳＤＩ信号５２２として出力される。
【０１９５】
図２１は、ＯＥＴＦ変換部５３５（５３５-1,５３５-2）の構成例を示している。ＯＥＴＦ変換部５３５は、記録時インバースＯＥＴＦ部５４１と、記録時ＯＯＴＦ部５４２と、色域変換部５４３と、リニアゲイン部５４４と、出力インバースＯＯＴＦ部５４５と、出力ＯＥＴＦ部５４６を有している。ここでは、再生映像信号は信号インタフェースＸの映像信号であり、出力映像信号は信号インタフェースＹの映像信号であるとして説明する。
【０１９６】
記録時インバースＯＥＴＦ部５４１は、信号インタフェースＸの再生映像信号に対し、その再生映像信号に施されている信号インタフェースＸの階調圧縮処理に対応した階調伸長処理を行う。ここでの階調伸長処理は、信号インタフェースＸ用の光電気伝達関数（OETF）の逆特性を用いて行われる。記録時ＯＯＴＦ部５４２は、記録時インバースＯＥＴＦ部５４１の出力映像信号に対して、信号インタフェースＸのシステムガンマ（OOTF）の特性を付加する。
【０１９７】
色域変換部５４３は、記録時ＯＯＴＦ部５４２の出力映像信号に対して、色域変換のためのリニアマトリクス処理をする。リニアゲイン部５４４は、色域変換部５４３の出力映像信号に対して、ゲイン調整処理をする。色域変換部５４３は、再生映像信号と出力映像信号の間で色域の変換が必要となる場合のみ必要となる。また、リニアゲイン部５４４は、再生映像信号と出力映像信号の間でＳＤＲからＨＤＲへの変換、あるいは逆にＨＤＲからＳＤＲへの変換を行う場合に必要となる。
【０１９８】
出力インバースＯＯＴＦ部５４５は、リニアゲイン部５４４の出力映像信号に対して、信号インタフェースＹのシステムガンマ（OOTF）の特性をキャンセルする特性を付加する。出力ＯＥＴＦ部５４６は、出力インバースＯＯＴＦ部５４５の出力映像信号に対して、信号インタフェースＹの階調圧縮処理を行う。ここでの階調圧縮処理は、信号インタフェースＹ用の光電気伝達関数（OETF）の特性を用いて行われる。
【０１９９】
このＯＥＴＦ変換部５３５では、再生映像信号の信号インタフェースＸに基づいて、記録時インバースＯＥＴＦ部５４１および記録時ＯＯＴＦ部５４２が設定されると共に、出力映像信号の信号インタフェースＹに基づいて、出力インバースＯＯＴＦ部５４５および出力ＯＥＴＦ部５４６が設定される。これにより、出力ＯＥＴＦ変換部５３５では、信号インタフェースＸの階調圧縮処理が施された再生映像信号から信号インタフェースＹの階調圧縮処理が施された出力映像信号が得られる。
【０２００】
図２２は、ＯＥＴＦ変換部５３５（図２１参照）の実際の設定値の代表例を示している。（ａ）の例は、再生映像信号の信号インタフェース（記録時ＯＥＴＦ）が“Ｓ−Ｌｏｇ３”であって、出力映像信号の信号インタフェース（出力ＯＥＴＦ）が“ＳＤＲ”である場合の例である。また、この場合における再生映像信号の色域は“ＢＴ．２０２０”であり、出力映像信号の色域は“ＢＴ．７０９”である。この例は、例えば、モニタ５２３がＳＤＲモニタであった場合に、サーバ５２１側のＯＥＴＦ変換処理に使用される。
【０２０１】
（ａ）の例の場合、記録時インバースＯＥＴＦ部５４１は、“Ｓ−Ｌｏｇ３”の階調伸長処理（S-Log3 Inverse OETF）を行うように、設定される。記録時ＯＯＴＦ部５４２は、“Ｓ−Ｌｏｇ３”のシステムガンマ（OOTF）の特性を付加するように、設定される。色域変換部５４３は、“ＢＴ．２０２０”から“ＢＴ．７０９”に色域を変換するリニアマトリクス処理を行うように、設定される。リニアゲイン部５４４は、ＨＤＲゲインからＳＤＲゲインにゲイン低下するように、設定される。出力インバースＯＯＴＦ部５４５は、処理をしないように、つまり入力をそのまま出力するように、設定される。さらに、出力ＯＥＴＦ部５４６は、“ＳＤＲ”の階調圧縮処理（SDR Inverse EOTF）を行うように、設定される。
【０２０２】
また、（ｂ）の例は、再生映像信号の信号インタフェース（記録時ＯＥＴＦ）が“ＳＤＲ”であって、出力映像信号の信号インタフェース（出力ＯＥＴＦ）が“Ｓ−Ｌｏｇ３”である場合の例である。また、この場合における再生映像信号の色域は“ＢＴ．７０９”であり、出力映像信号の色域は“ＢＴ．２０２０”である。この例は、例えば、ストレージ５３７から信号インタフェースが“ＳＤＲ”である映像信号を含むファイルを再生して、スイッチャ５２５に“Ｓ−Ｌｏｇ３”の映像信号を入力する場合に使用される。
【０２０３】
（ｂ）の例の場合、記録時インバースＯＥＴＦ部５４１は、“ＳＤＲ”の階調伸長処理（SDR EOTF）を行うように、設定される。記録時ＯＯＴＦ部５４２は、処理をしないように、つまり入力をそのまま出力するように、設定される。色域変換部５４３は、“ＢＴ．７０９”から“ＢＴ．２０２０”に色域を変換するリニアマトリクス処理を行うように、設定される。リニアゲイン部５４４は、ＳＤＲゲインからＨＤＲゲインにゲイン増加するように、設定される。出力インバースＯＯＴＦ部５４５は、“Ｓ−Ｌｏｇ３”のシステムガンマ（OOTF）の特性をキャンセルするように、設定される。さらに、出力ＯＥＴＦ部５４６は、“Ｓ−Ｌｏｇ３”の階調圧縮処理（S-Log3 OETF）を行うように、設定される。
【０２０４】
また、（ｃ）の例は、再生映像信号の信号インタフェース（記録時ＯＥＴＦ）が“ＨＬＧ”であって、出力映像信号の信号インタフェース（出力ＯＥＴＦ）が“Ｓ−Ｌｏｇ３”である場合の例である。また、この場合における再生映像信号の色域は“ＢＴ．２０２０”であり、出力映像信号の色域も“ＢＴ．２０２０”である。この例は、例えば、ストレージ５３７から信号インタフェースが“ＨＬＧ”である映像信号を含むファイルを再生して、スイッチャ５２５に“Ｓ−Ｌｏｇ３”の映像信号を入力する場合に使用される。
【０２０５】
（ｃ）の例の場合、記録時インバースＯＥＴＦ部５４１は、“ＨＬＧ”の階調伸長処理（HLG Inverse OETF）を行うように、設定される。記録時ＯＯＴＦ部５４２は、“ＨＬＧ”のシステムガンマ（OOTF）の特性を付加するように、設定される。色域変換部５４３は、処理をしないように、つまり入力をそのまま出力するように、設定される。リニアゲイン部５４４は、処理をしないように、つまり入力をそのまま出力するように、設定される。出力インバースＯＯＴＦ部５４５は、“Ｓ−Ｌｏｇ３”のシステムガンマ（OOTF）の特性をキャンセルするように、設定される。さらに、出力ＯＥＴＦ部５４６は、“Ｓ−Ｌｏｇ３”の階調圧縮処理（S-Log3 OETF）を行うように、設定される。
【０２０６】
また、（ｄ）の例は、再生映像信号の信号インタフェース（記録時ＯＥＴＦ）が“ＰＱ”であって、出力映像信号の信号インタフェース（出力ＯＥＴＦ）が“Ｓ−Ｌｏｇ３”である場合の例である。また、この場合における再生映像信号の色域は“ＢＴ．２０２０”であり、出力映像信号の色域も“ＢＴ．２０２０”である。この例は、例えば、ストレージ５３７から信号インタフェースが“ＰＱ”である映像信号を含むファイルを再生して、スイッチャ５２５に“Ｓ−Ｌｏｇ３”の映像信号を入力する場合に使用される。
【０２０７】
（ｄ）の例の場合、記録時インバースＯＥＴＦ部５４１は、“ＰＱ”の階調伸長処理（PQ EOTF）を行うように、設定される。記録時ＯＯＴＦ部５４２は、処理をしないように、つまり入力をそのまま出力するように、設定される。色域変換部５４３は、処理をしないように、つまり入力をそのまま出力するように、設定される。リニアゲイン部５４４は、処理をしないように、つまり入力をそのまま出力するように、設定される。出力インバースＯＯＴＦ部５４５は、“Ｓ−Ｌｏｇ３”のシステムガンマ（OOTF）の特性をキャンセルするように、設定される。さらに、出力ＯＥＴＦ部５４６は、“Ｓ−Ｌｏｇ３”の階調圧縮処理（S-Log3 OETF）を行うように、設定される。
【０２０８】
図２３のフローチャートは、ストレージ５３７から異なる素材情報（信号インタフェース情報）を持つファイルを連続的に再生する場合における、ＣＰＵ５３１によるＯＥＴＦ変換部５３５（５３５−１、５３５-2）の制御処理の一例を示している。
【０２０９】
まず、ＣＰＵ５３１は、ステップＳ４０１において、出力ポートのＥＯＴＦ設定、つまり出力映像信号の信号インタフェースの情報を取得する。ＣＰＵ５３１は、この情報を、例えば、システム構成時における設定情報から取得する。次に、ＣＰＵ５３１は、ステップＳ４０２において、出力ポートのＥＯＴＦ設定に基づいて、出力インバースＯＯＴＦ部５４５および出力ＯＥＴＦ部５４６の処理設定をする。
【０２１０】
次に、ＣＰＵ５３１は、ステップＳ４０３において、再生すべき素材の属性、つまり再生映像信号の信号インタフェースの情報を取得する。ＣＰＵ５３１は、この情報を、例えば、ファイルに付加されている属性情報から取得する。次に、ＣＰＵ５３１は、ステップＳ４０４において、再生すべき素材の属性に基づいて、記録時インバースＯＥＴＦ部５４１および記録時ＯＯＴＦ部５４２の処理設定をする。
【０２１１】
次に、ＣＰＵ５３１は、ステップＳ４０５において、ステップＳ４０１で取得した出力ポートのＥＯＴＦ設定とステップＳ４０３で取得した再生すべき素材の属性に基づいて、色域変換部５４３およびリニアゲイン部５４４の処理設定をする。その後、ＣＰＵ５３１は、ステップＳ４０６において、再生処理をする。
【０２１２】
そして、ＣＰＵ５３１は、ステップＳＴ４０７において、素材変更があるか否かを判定する。ＣＰＵ５３１は、この判定を、再生すべき素材のファイルに付加されている属性情報に基づいて行うことができる。素材変更がないと判定するとき、ＣＰＵ５３１は、ステップＳ４０６の処理に戻る。一方、素材変更があると判定するとき、ＣＰＵ５３１は、ステップＳ４０３の処理に戻り、上述したと同様に各部の処理設定を行った後に再生処理をする。
【０２１３】
上述した第５の実施の形態に示すＨＤＲ制作ライブシステム５００において、サーバ５２１は、出力系（再生系）に、第１の信号インタフェースに対応する階調圧縮処理が施された再生映像信号を第２の信号インタフェースに対応する階調圧縮処理が施された出力映像信号に変換するＯＥＴＦ変換部５３５（５３５-1，５３５-2）を備えるものである。
【０２１４】
従って、ストレージ５３７から異なる属性（信号インタフェース）を持った素材を連続的に再生する場合も、出力ポートの設定どおりの信号インタフェースを持つ映像信号の出力が可能となる。そのため、事前の素材格納時に信号インタフェースをそろえる作業が不要になることから作業時間を大幅に削減することができ、また、信号インタフェース変換の際のコーデックのデコード/エンコードもなくなることから画質劣化を避けることができる。
【０２１５】
＜６．変形例＞
なお、上述の第３の実施の形態においては、第１の信号インタフェースに対応する階調圧縮処理が施された再生映像信号を第２の信号インタフェースに対応する階調圧縮処理が施された出力映像信号に変換するサーバ５２１にＯＥＴＦ変換部５３５（５３５-1，５３５-2）を備える例を示した。同様のＯＥＴＦ変換部をスイッチャ５２５内に設け、スイッチャ５２５内で第１の信号インタフェースに対応する階調圧縮処理が施された再生映像信号を第２の信号インタフェースに対応する階調圧縮処理が施された出力映像信号に変換するように構成することも考えられる。
【０２１６】
また、上述実施の形態においては、信号インタフェースＡ、例えば“Ｓ−Ｌｏｇ３”を基準信号インタフェース（統一信号インタフェース）としたが、必ずしもこれに限定されるものではない。信号インタフェースＢ、例えば“ＨＬＧ（Hybrid Log-Gamma）”、あるいは信号インタフェースＣ、例えば“ＰＱ（Perceptual Quantizer）”を基準信号インタフェース（統一信号インタフェース）としてもよい。
【０２１７】
また、上述実施の形態においては、本技術を、３種類の信号インタフェースＡ〜Ｃを扱うカメラシステムあるいはビデオシステムに適用した例を示したが、本技術は、これらと共に、あるいはこれらとは別個の複数種類の信号インタフェースを扱うカメラシステムあるいはビデオシステムなどにも同様に適用できることは勿論である。
【０２１８】
また、本技術は、以下のような構成を取ることもできる。
（１）リニアなハイダイナミックレンジ映像信号を処理して階調圧縮処理が施されたハイダイナミックレンジ映像信号を得る処理部を備え、
上記処理部は、複数の信号インタフェースの階調圧縮処理を行うことが可能とされている
信号処理装置。
（２）上記処理部は、
基準信号インタフェース以外の他の信号インタフェースの階調圧縮処理を行うとき、少なくとも、上記基準信号インタフェースのシステムガンマの特性を付加する処理をさらに行う
前記（１）に記載の信号処理装置。
（３）処理部が、リニアなハイダイナミックレンジ映像信号を処理して階調圧縮処理が施されたハイダイナミックレンジ映像信号を得る処理ステップを有し、
上記処理部は、複数の信号インタフェースの階調圧縮処理を行うことが可能とされている
信号処理方法。
（４）リニアなハイダイナミックレンジ映像信号を得る撮像部と、
上記リニアなハイダイナミックレンジ映像信号を処理して階調圧縮処理が施されたハイダイナミックレンジ映像信号を得る処理部を備え、
上記処理部は、複数の信号インタフェースの階調圧縮処理を行うことが可能とされている
カメラシステム。
（５）リニアなハイダイナミックレンジ映像信号を処理して基準信号インタフェースの階調圧縮処理が施されたハイダイナミックレンジ映像信号を得る処理部と、
上記基準信号インタフェースの階調圧縮処理が施されたハイダイナミックレンジ映像信号を、上記基準信号インタフェース以外の他の信号インタフェースの階調圧縮処理が施されたハイダイナミックレンジ映像信号に変換する信号変換部を備え、
上記信号変換部は、
上記基準信号インタフェースの階調圧縮処理が施されたハイダイナミックレンジ映像信号に、上記基準信号インタフェースの階調圧縮処理に対応した階調伸長処理と、上記基準信号インタフェースのシステムガンマの特性を付加する処理および上記他の信号インタフェースのシステムガンマの特性をキャンセルする処理と、上記他の信号インタフェースの階調圧縮処理の各処理を行う
信号処理装置。
（６）処理部が、リニアなハイダイナミックレンジ映像信号を処理して基準信号インタフェースの階調圧縮処理が施されたハイダイナミックレンジ映像信号を得る処理ステップと、
信号変換部が、上記基準信号インタフェースの階調圧縮処理が施されたハイダイナミックレンジ映像信号を、上記基準信号インタフェース以外の他の信号インタフェースの階調圧縮処理が施されたハイダイナミックレンジ映像信号に変換する信号変換ステップを有し、
上記信号変換ステップでは、
上記基準信号インタフェースの階調圧縮処理が施されたハイダイナミックレンジ映像信号に、少なくとも、上記基準信号インタフェースの階調圧縮処理に対応した階調伸長処理と、上記基準信号インタフェースのシステムガンマの特性を付加する処理と、上記他の信号インタフェースの階調圧縮処理の各処理を行う
信号処理方法。
（７）リニアなハイダイナミックレンジ映像信号を得る撮像部と、
上記リニアなハイダイナミックレンジ映像信号を処理して基準信号インタフェースの階調圧縮処理が施されたハイダイナミックレンジ映像信号を得る処理部と、
上記基準信号インタフェースの階調圧縮処理が施されたハイダイナミックレンジ映像信号を、上記基準信号インタフェース以外の他の信号インタフェースの階調圧縮処理が施されたハイダイナミックレンジ映像信号に変換する信号変換部を備え、
上記信号変換部は、
上記基準信号インタフェースの階調圧縮処理が施されたハイダイナミックレンジ映像信号に、少なくとも、上記基準信号インタフェースの階調圧縮処理に対応した階調伸長処理と、上記基準信号インタフェースのシステムガンマの特性を付加する処理と、上記他の信号インタフェースの階調圧縮処理の各処理を行う
カメラシステム。
（８）基準信号インタフェースの階調圧縮処理が施されたハイダイナミックレンジ映像信号を入力する複数の入力機器を有する入力部と、
上記複数の入力機器から選択的に所定のハイダイナミックレンジ映像信号を取り出す取り出し部と、
上記所定のハイダイナミックレンジ映像信号に基づいた映像信号を出力する出力部を備え、
上記出力部は、
上記基準信号インタフェースの階調圧縮処理が施されたハイダイナミックレンジ映像信号の他に、少なくとも、上記基準信号インタフェース以外の他の信号インタフェースの階調圧縮処理が施されたハイダイナミックレンジ映像信号を出力することが可能とされ、
上記出力部は、
上記他の信号インタフェースの階調圧縮処理が施されたハイダイナミックレンジ映像信号を出力するとき、上記所定のハイダイナミックレンジ映像信号に、少なくとも、上記基準信号インタフェースの階調圧縮処理に対応した階調伸長処理と、上記基準信号インタフェースのシステムガンマの特性を付加する処理と、上記他の信号インタフェースの階調圧縮処理の各処理を行って、上記他の信号インタフェースの階調圧縮処理が施されたハイダイナミックレンジ映像信号を得る
ビデオシステム。
（９）上記入力部は、カメラシステムを含み、
上記カメラシステムは、
リニアなハイダイナミックレンジ映像信号を得る撮像部と、
上記リニアなハイダイナミックレンジ映像信号を処理して上記基準信号インタフェースの階調圧縮処理が施されたハイダイナミックレンジ映像信号を得る処理部を有する
前記（８）に記載のビデオシステム。
（１０）上記入力部は、上記基準信号インタフェース以外の他の信号インタフェースの階調圧縮処理が施されたハイダイナミックレンジ映像信号を、上記基準信号インタフェースの階調圧縮処理が施されたハイダイナミックレンジ映像信号に変換する信号変換部を含み、
上記信号変換部は、
上記他の信号インタフェースの階調圧縮処理が施されたハイダイナミックレンジ映像信号に、少なくとも、上記他の信号インタフェースの階調圧縮処理に対応した階調伸長処理と、上記基準信号インタフェースが持つシステムガンマの特性をキャンセルする特性を付加する処理と、上記基準信号インタフェースの階調圧縮処理の各処理を行う
前記（８）または（９）に記載のビデオシステム。
（１１）上記出力部は、
通常（標準）ダイナミックレンジ映像信号を出力することがさらに可能とされる
前記（８）から（１０）のいずれかに記載のビデオシステム。
（１２）上記所定のハイダイナミックレンジ映像信号には、該所定のハイダイナミックレンジ映像信号の情報と共に、該所定のハイダイナミックレンジ映像信号に基づいて作成された通常（標準）ダイナミックレンジ映像信号の情報が付加されており、
上記出力部は、
上記通常（標準）ダイナミックレンジ映像信号を出力するとき、上記所定のハイダイナミックレンジ映像信号を、該所定のハイダイナミックレンジ映像信号に付加されている上記情報に基づいて処理して、上記通常（標準）ダイナミックレンジ映像信号を得る
前記（１１）に記載のビデオシステム。
（１３）ストレージに記録されているファイルを再生して第１の信号インタフェースに対応する階調圧縮処理が施された再生映像信号を得る再生部と、
上記再生映像信号を処理して第２の信号インタフェースに対応する階調圧縮処理が施された出力映像信号を得る処理部を備える
サーバ。
（１４）上記処理部は、
上記再生映像信号の上記第１の信号インタフェースの情報と上記出力映像信号の上記第２の信号インタフェースの情報に基づいて処理設定をする
前記（１３）に記載のサーバ。
（１５）上記処理部は、
上記再生映像信号が上記ストレージに記録されている複数のファイルの連続再生で得られたものであるとき、
上記再生映像信号の上記第１の信号インタフェースの情報の変化に応じて上記処理設定を変更する
前記（１４）に記載のサーバ。
（１６）上記再生部および上記処理部の出力系を複数有し、
上記複数の出力系の上記処理部は、それぞれ独立した処理設定を行うことが可能とされている
前記（１３）から（１５）のいずれかに記載のサーバ。
（１７）上記出力映像信号に、上記第２の信号インタフェースの情報を重畳する情報重畳部をさらに備える
前記（１３）から（１６）のいずれかに記載のサーバ。
【符号の説明】
【０２１９】
１０Ａ，１０Ｂ，１０Ｃ・・・カメラシステム
１１・・・カメラ
１２，１２Ｂ，１２Ｃ・・・カメラ・コントロール・ユニット
１３・・・カメラケーブル
１４・・・通信路
１５・・・コントロール・パネル
１６，１７，１８・・・モニタ
１９，２０・・・ＨＤＲコンバータ
３０・・・ビデオシステム
３１・・・カメラ
３２・・・カメラ・コントロール・ユニット
３３・・・カメラケーブル
３４・・・通信路
３５・・・コントロール・パネル
３６・・・ＨＤＲコンバータ
３７・・・サーバ
３８・・・スイッチャ
３９，４０，４２，４４，４７・・・伝送路
４１・・・ＳＤＲモニタ
４３・・・本線伝送路
４５，４８，５１，５２・・・モニタ
４６・・・ＨＤＲコンバータ
４９・・・ＳＤＲコンバータ
１１１・・・ＣＰＵ
１１２・・・撮像部
１１３・・・プリプロセス部
１１４・・・伝送部
１２１・・・ＣＰＵ
１２２・・・伝送部
１２３・・・ＨＤＲカメラプロセス部
１２４・・・ＯＥＴＦ-A・フォーマッタ部
１２５・・・ＯＥＴＦ-B・フォーマッタ部
１２６・・・ＯＯＴＦ-C部
１２７・・・インバース・ＥＯＴＦ-C・フォーマッタ部
１３１・・・ＨＤＲゲイン調整部
１３２・・・リニアマトリクス部
１３３・・・ブラックレベル部
１３４・・・ディテール部
１４１，１４３・・・ＯＯＴＦ-A部
１４２・・・インバース・ＯＯＴＦ-B部
１４４，１４６・・・デフォーマッタ部
１４５，１４７・・・インバース・ＯＥＴＦ-A部
３１１・・・ＣＰＵ
３１２・・・撮像部
３１３・・・プリプロセス部
３１４・・・伝送部
３１５・・・ＨＤＲカメラプロセス部
３２１・・・ＣＰＵ
３２２・・・伝送部
３２３・・・ＨＤＲカメラプロセス部
３２４・・・ＳＤＲカメラプロセス部
３２５・・・インバース・ＨＤＲカメラプロセス部
３３１・・・ＨＤＲゲイン調整部
３３２・・・リニアマトリクス部
３３３・・・ブラックレベル部
３３４・・・ディテール部
３３５・・・ＯＥＴＦ-A・フォーマッタ部
３４１・・・解像度変換部
３４２・・・ＳＤＲゲイン調整部
３４３・・・リニアマトリクス部
３４４・・・ブラックレベル部
３４５・・・ニー・ディテール部
３４６・・・ガンマ・フォーマッタ部
３５１・・・ＣＰＵ
３５２・・・操作入力部
３６１・・・デフォーマッタ部
３６２・・・インバース・ＯＥＴＦ部
３６３・・・リムーブ・ブラックレベル部
３７０・・・デフォーマッタ部
３７１・・・インバース・ＯＥＴＦ-B部
３７２・・・ＯＯＴＦ-B部
３７３・・・インバース・おおＴＦ-A部
３７４・・・ＯＥＴＦ-A・フォーマッタ部
３７５・・・デフォーマッタ部
３７６・・・インバース・ＯＥＴＦ-A部
３７７・・・ＯＯＴＦ-A部
３７８・・・インバース・ＯＯＴＦ-B部
３７９・・・ＯＥＴＦ-B・フォーマッタ部
３８０・・・デフォーマッタ部
３８１・・・ＥＯＴＦ-C部
３８２・・・インバース・ＯＯＴＦ-A部
３８３・・・ＯＥＴＦ-A・フォーマッタ部
３８５・・・デフォーマッタ部
３８６・・・インバース・ＯＥＴＦ部
３８７・・・ＯＯＴＦ-A部
３８８・・・インバース・ＥＯＴＦ-C・フォーマッタ部
４０１・・・ＣＰＵ
４０２・・・インバース・ＨＤＲカメラプロセス部
４０３・・・ＳＤＲカメラプロセス部
４２１・・・ＳＤＲデフォーマッタ部
４２２・・・インバース・ＯＥＴＦ部
４２３・・・リムーブ・ブラックレベル部
４３１・・・解像度変換部
４３２・・・ＳＤＲゲイン調整部
４３３・・・リニアマトリクス部
４３４・・・ブラックレベル部
４３５・・・ニー・ディテール部
４３６・・・ガンマ・フォーマッタ部
４４１・・・シグナル・プロセッサ
４４２・・・カメラ
４４３・・・カメラ・コントロール・ユニット
４４４，４４７・・・モニタ
４４５・・・ストレージ
４４６・・・ビデオ・プロセッサ・ユニット
４５１・・・カメラ
４５２・・・カメラ・コントロール・ユニット
４５３，４５６・・・モニタ
４５４・・・ストレージ
４５５・・・ビデオ・プロセッサ・ユニット
５００・・・ＨＤＲ制作ライブシステム
５０１，５１１・・・カメラ
５０２，５１２・・・カメラ・コントロール・ユニット
５２１・・・サーバ
５２３・・・モニタ
５２５・・・スイッチャ
５２７・・・ＨＤＲコンバータ
５３１・・・ＣＰＵ
５３２-1，５３２-2・・・ＳＤＩ入力部
５３３-1，５３３-2・・・エンコーダ
５３４-1，５３４-2・・・デコーダ
５３５-1，５３５-2・・・ＯＥＴＦ変換部
５３６-1，５３６-2・・・ＳＤＩ出力部
５３７・・・ストレージ
５３８・・・通信インタフェース
５４１・・・記録時インバースＯＥＴＦ部
５４２・・・記録時ＯＯＴＦ部
５４３・・・色域変換部
５４４・・・リニアゲイン部
５４５・・・出力インバースＯＯＴＦ部
５４６・・・出力ＯＥＴＦ部
５５０・・・パーソナルコンピュータ
【図１】
2018007246.tif 000003
【図２】
2018007246.tif 000004
【図３】
2018007246.tif 000005
【図４】
2018007246.tif 000006
【図５】
2018007246.tif 000007
【図６】
2018007246.tif 000008
【図７】
2018007246.tif 000009
【図８】
2018007246.tif 000010
【図９】
2018007246.tif 000011
【図１０】
2018007246.tif 000012
【図１１】
2018007246.tif 000013
【図１２】
2018007246.tif 000014
【図１３】
2018007246.tif 000015
【図１４】
2018007246.tif 000016
【図１５】
2018007246.tif 000017
【図１６】
2018007246.tif 000018
【図１７】
2018007246.tif 000019
【図１８】
2018007246.tif 000020
【図１９】
2018007246.tif 000021
【図２０】
2018007246.tif 000022
【図２１】
2018007246.tif 000023
【図２２】
2018007246.tif 000024
【図２３】
2018007246.tif 000025